(57)【要約】  本開示は、一般に、照明・エネルギ制御システムに関する。幾つかの実施形態では、照明システムの設置を容易にして電力消費量を制御できる制御モジュールが設けられる。制御モジュールは、照明器具の１つまたは複数のランプまたは回路上のエネルギ消費装置に接続されるバラストを制御してもよい。制御モジュールは、様々なジャンクションボックスまたは照明器具と共に組み込むことができ、したがって、コストおよび設置制約に起因して利用し難い多種多様な照明設備にエネルギ制御器およびセンサ制御器を配置することができる。制御装置は、中継を行なう制御回路と、バラスト、モータ、家電、または、他の装置などの様々な装置に対して電力制御を行なう１つまたは複数のインタフェースとを含んでもよい。また、システムは、センサまたはスイッチがシステム内の装置のグループまたはゾーンを遠隔的に制御できるようにする受信器および送信器を含んでもよい。【選択図】図１Ａ
2012526456.tif 000002
【特許請求の範囲】
【請求項１】
１つまたは複数の光源を制御するための制御モジュールであって、
前記１つまたは複数の光源によって発せられる光のレベルを制御するように構成される制御信号を受信器から受信するようになっている１つまたは複数の入力と、
前記受信された制御信号に基づいて前記１つまたは複数の光源のための制御を行なう１つまたは複数の出力信号を供給するように構成される１つまたは複数のインタフェースと
を備える制御モジュール。
【請求項２】
受信器を給電するようになっている電源を更に備える、請求項１に記載の制御モジュール。
【請求項３】
前記１つまたは複数の出力信号は、前記１つまたは複数の光源の少なくとも１つのバラストに対して調光制御を行なう、請求項１に記載の制御モジュール。
【請求項４】
前記１つまたは複数の出力信号は、前記１つまたは複数の光源の少なくとも１つのバラストに対してＯＮまたはＯＦＦ制御を行なう請求項１に記載の制御モジュール。
【請求項５】
前記１つまたは複数の出力信号は、前記１つまたは複数の光源の少なくとも１つのバラストに対してステップ制御を行なう請求項１に記載の制御モジュール。
【請求項６】
前記１つまたは複数の出力信号は、前記１つまたは複数の光源の少なくとも１つのバラストに対して高／低制御を行なう請求項１に記載の制御モジュール。
【請求項７】
少なくとも２つのインタフェースを有し、前記少なくとも２つのインタフェースのそれぞれが前記１つまたは複数の出力信号を中継するように構成される請求項１に記載の制御モジュール。
【請求項８】
照明領域を制御するための受信器であって、
照明領域と関連付けられる１つまたは複数の光源によって発せられる光を制御するための１つまたは複数のコマンドを送信器から受信する第１のインタフェースと、
前記１つまたは複数のコマンドに基づいて前記１つまたは複数の関連する光源により発せられる光の量を制御するように構成される１つまたは複数の出力信号を供給する第２のインタフェースと、
を備える受信器。
【請求項９】
前記第１のインタフェースが前記受信器を特定するためのアドレスと関連付けられる請求項８に記載の受信器。
【請求項１０】
ディップスイッチによる設定によって前記アドレスが調整される請求項９に記載の受信器。
【請求項１１】
前記第２のインタフェースは、接続時に前記１つまたは複数の出力信号を制御モジュールへ供給するように構成される、請求項８に記載の受信器。
【請求項１２】
電力を受けるために制御モジュールに結合されるように構成される電力入力を更に備える、請求項１１に記載の受信器。
【請求項１３】
照明領域を制御するための送信器であって、
センサから信号を受信するように構成されるセンサ入力と、
少なくとも前記センサ信号に基づいて、前記センサ信号を、照明領域内の１つまたは複数の光源により発せられる光のレベルを制御するための１つまたは複数の制御信号へと変換するコントローラと、
を備える送信器。
【請求項１４】
前記１つまたは複数の光源を制御するように構成される１つまたは複数の受信器に対して前記１つまたは複数の制御信号を送るように構成される無線インタフェースを更に備える、請求項１３に記載の送信器。
【請求項１５】
前記１つまたは複数の制御信号を送るために前記１つまたは複数の受信器に割り当てられるアドレスを選択するための少なくとも１つのアドレス選択インタフェースを更に備える、請求項１４に記載の送信器。
【請求項１６】
前記少なくとも１つのアドレス選択インタフェースがディップスイッチを備える、請求項１５に記載の送信器。
【請求項１７】
電力を前記センサに供給するように構成される出力を更に備える、請求項１３に記載の送信器。
【請求項１８】
前記センサ信号が周辺光の測定値に対応する、請求項１３に記載の送信器。
【請求項１９】
前記センサ信号が、モーションが検出されるかどうかに対応する、請求項１３に記載の送信器。
【請求項２０】
センサ信号が時刻に対応する、請求項１３に記載の送信器。
【請求項２１】
前記センサ信号に基づいて前記１つまたは複数の光源により発せられる前記光のレベルを調整するための調光選択インタフェースを更に備え、前記コントローラは、前記調光選択インタフェースの調整および前記センサ信号の両方に基づいて前記光のレベルを制御するように更に構成される、請求項１３に記載の送信器。
【請求項２２】
前記調光選択インタフェースがポテンショメータを備える、請求項１３に記載の送信器。
【請求項２３】
エネルギ消費量を減らすための照明システムであって、
それぞれが少なくとも１つのバラストと少なくとも１つのランプとを含む１つまたは複数の照明器具と、
前記少なくとも１つのランプにより発せられる光のレベルを制御するための１つまたは複数のコマンドを受信する無線インタフェースを含む受信器と、
前記受信器により受信される前記コマンドに基づいて１つまたは複数の制御信号を入力として受信するために前記受信器に作用的に結合され、前記１つまたは複数の制御信号に基づいて前記１つまたは複数の出力信号を前記少なくとも１つのバラストへ供給するように構成される制御インタフェースを含む制御モジュールと
を備える照明システム。
【請求項２４】
前記受信器が前記１つまたは複数の照明器具の外側に配置されるように構成される、請求項２３に記載の照明システム。
【請求項２５】
前記制御モジュールが前記１つまたは複数の照明器具の内側に配置されるように構成される、請求項２３に記載の照明システム。
【請求項２６】
前記１つまたは複数のコマンドを前記受信器へ送るように構成される送信器を更に備える、請求項２３に記載の照明システム。
【請求項２７】
前記送信器は、センサからセンサ信号を受信するように構成されるセンサ入力と、少なくとも前記センサ信号に基づいて前記センサ信号を前記１つまたは複数のコマンドへ変換するコントローラとを更に備える、請求項２６に記載の照明システム。
【請求項２８】
前記送信器は、光スイッチからスイッチ信号を受信するように構成されるスイッチ入力と、少なくとも前記スイッチ信号に基づいて前記スイッチ信号を前記１つまたは複数のコマンドへ変換するコントローラとを更に備える、請求項２６に記載の照明システム。
【発明の詳細な説明】
【技術分野】
【０００１】
関連出願の相互参照
本出願は、２００８年４月２８日に出願された米国仮出願第６１／０７１，４２３号および２００６年１１月１５日に出願された米国特許出願第１１／５９９，６２１号の利益を主張する２００９年４月２８日に出願された「ＭＵＬＴＩ−ＣＯＮＦＩＧＵＲＡＢＬＲ  ＬＩＧＨＴＩＮＧ  ＡＮＤ  ＥＮＥＲＧＹ  ＣＯＮＴＲＯＬ  ＳＹＳＴＥＭ  ＡＮＤ  ＭＯＤＵＬＥＳ」と題される米国出願第１２／４５３，０６９号（代理人整理番号第２８５６４．０４７．００）の利益を主張する２００９年５月４日に出願された米国出願第１２／４５３，２４９号の優先権を主張し、これらの出願の内容は、それらの全体を全ての目的のために参照することにより本願に組み入れられる。
【０００２】
本開示は、一般に、制御システムおよびモジュールに関する。より具体的には、本開示は、照明装置および他の装置のためのシステムおよび制御に関する。
【背景技術】
【０００３】
建物は、１つ以上の照明システム、加熱、換気、空調（ＨＶＡＣ）システム、電気システム等を含む場合がある。典型的には、これらのシステムは、建物が建築される際に設置され、壁や天井などによって妨げられる場合がある回路または配線を含む。また、これらのシステムは、しばしばＯＮ／ＯＦＦスイッチによって制御される。
【発明の概要】
【０００４】
残念ながら、建物での様々なシステムにおいて更に高性能な電力制御を成すことは困難である。これは、それが再配線を必要とする場合があるからである。したがって、照明システム、電気システム、ＨＶＡＣシステム、ボイラシステム、加熱システムなどのこれらのシステムにおけるエネルギ制御への投資および設置は、一般に行なわれない。電力制御の使用は、莫大な量の省エネをもたらす可能性がある。
【０００５】
したがって、照明装置または他のエネルギ消費装置を制御できる制御モジュールが提供される。制御モジュールは、光源によって発せられる光のレベルを制御するように構成される入力信号を受信器から受信するようになっている入力と、受信器を給電するようになっている電力出力とを含むインタフェースを含むことができる。制御モジュールは、入力信号に基づいて１つ以上の更なる光源により発せられる光を調整するための制御信号を供給するように構成される１つ以上の出力を含む他のインタフェースを更に含んでもよい。
【０００６】
インタフェースの１つ以上の出力は、入力信号を通すように構成される少なくとも１つのドライ接点を含んでもよい。また、入力信号は、光源および更なる光源に対して、ＯＮ／ＯＦＦ制御を行なうことができる。あるいは、入力信号は、光源および更なる光源に対して調光制御を行なうことができる。幾つかの実施形態では、前述したインタフェースを制御モジュールの種々の側に設けることができる。受信器および送信器を使用して、センサまたはスイッチが光源のグループまたはゾーンを遠隔的に制御できるようにすることも可能である。
【０００７】
他の態様では、エネルギ消費量を減らすことができる照明システムが提供される。照明システムは、ジャンクションボックスおよび制御モジュールを含むことができる。制御モジュールは、供給電圧を電源に供給するように構成される電力供給ラインと、ジャンクションボックスを使用して少なくとも１つの照明器具により発せられる光を制御するための信号を中継するように構成されるリレーラインとを有するインタフェースを含むことができる。
【０００８】
一実施形態において、リレーラインは、ノックアウト穴を通じてジャンクションボックスに作用的に接続させることができる。また、電力供給ラインは、供給電圧を受けるためにジャンクションボックスに作用的に接続させることができる。制御モジュールは、少なくとも１つの照明器具のハウジング内に設けられるバラストに対して調光制御を行なうように構成される調光ラインを更に含むことができる。調光ラインは、ハウジング内に設けられる穴を通じて延在してバラストと接続してもよい。
【０００９】
幾つかの実施形態では、インタフェースケーブルおよび制御モジュールを含む照明システムが提供される。インタフェースは、照明器具により発せられる光のレベルを制御するように構成される入力信号を受信器から受信するようになっている入力信号と、インタフェースケーブルによって受信器に接続されるときに受信器を給電するようになっている電力出力とを含むことができる。一実施形態では、制御モジュールを照明器具のハウジング内に位置させることができる。
【００１０】
ハウジングは、該ハウジングのノックアウト部分が除去されるときに穴を形成するように構成できる。また、インタフェースは、ハウジングに設けられる第１の穴を通じて受信器に接続されるようになっていてもよい。制御モジュールは、第１の穴を通じてハウジングから抜け出る１つ以上の電力供給ラインを含んでもよく、また、インタフェースケーブルは第２の穴を通じてハウジングから抜け出てもよい。また、制御モジュールは、第１の穴を通じてハウジングから抜け出る１つ以上のリレーラインを更に含むことができ、また、インタフェースケーブルは第２の穴を通じてハウジングから抜け出てもよい。
【００１１】
本開示の利点および特徴は、部分的には、以下の説明において明らかになり、また、部分的には、以降の審査時に当業者に明らかになり、あるいは、開示の実施から学習できる。本開示の実施形態の利点および特徴は、書かれた説明、特許請求の範囲、および、添付図面に記載される構造およびプロセスによって実現されて達成されてもよい。
【００１２】
言うまでもなく、以上の一般的な説明および以下の詳細な説明は、例示的で説明的であり、特許請求の範囲を限定すると解釈されるべきではない。
【００１３】
添付図面は、本開示の更なる理解を与えるために含まれており、本願に組み込まれてこの出願の一部を構成する。図面は、明細書本文と共に、本開示の例示的な実施形態を説明するのに役立つ。可能な場合には常に、同一または同様の部分を示すために、図面の全体にわたって同じ参照符号が使用される。
【図面の簡単な説明】
【００１４】
【図１Ａ】本開示の一実施形態による１つ以上の照明器具を制御して給電できる照明システムの例示的なブロック図を示している。
【図１Ｂ】図１Ａのシステムで使用されてもよい制御装置の例示的な上立面図を示している。
【図２Ａ】本開示の一実施形態による制御装置を備えてもよい例示的な構成要素を示している。
【図２Ｂ】本開示の一実施形態による図２Ａの制御装置を備えてもよい例示的な回路を示している。
【図３Ａ】本開示の一実施形態によるジャンクションボックスおよび図１Ａの制御装置の例示的な設置を示している。
【図３Ｂ】本開示の一実施形態による図３Ａの設置で使用されてもよい例示的なジャンクションボックスを示している。
【図４Ａ】本開示の一実施形態による図１Ａの制御装置および照明器具の例示的な設置を示している。
【図４Ｂ】本開示の一実施形態による図１Ａの制御装置および照明器具の例示的な設置を示している。
【図５Ａ】本開示の実施形態にしたがって使用されてもよい制御装置の例示的な側面図を示している。
【図５Ｂ】本開示の実施形態にしたがって使用されてもよい制御装置の例示的な側面図を示している。
【図５Ｃ】本開示の実施形態にしたがって使用されてもよい制御装置の例示的な側面図を示している。
【図６Ａ】本開示の実施形態による照明システムのための制御器の例示的な配置を示している。
【図６Ｂ】本開示の実施形態による照明システムのための制御器の例示的な配置を示している。
【図７】１つ以上の照明器具へ制御を中継できる、本開示の一実施形態による照明システムの例示的なブロック図を示している。
【図８】任意のタイプのバラストと接続できる、本開示の一実施形態による例示的な制御モジュールを示している。
【図９】照明器具に設けられるノックアウトプラグを接続できる、本開示の一実施形態による制御モジュールを示している。
【図１０】照明器具および想定し得る配線構造内に配置させることができる、本開示の一実施形態による制御モジュールを示している。
【図１１】本開示の一実施形態による制御モジュールの例示的な構成要素のブロック図を示している。
【図１２】照明器具内の複数のバラストを制御するように構成された、本開示の一実施形態による制御モジュールを示している。
【図１３】照明器具内の複数の種々のバラストを制御するように構成された、本開示の一実施形態による制御モジュールを示している。
【図１４】ドライ接点リレーを使用してバラストを制御するように構成された、本開示の一実施形態による制御モジュールを示している。
【図１５Ａ】１つ以上の照明器具を制御するように配線された、本開示の一実施形態による制御モジュールを示している。
【図１５Ｂ】１つ以上の照明器具を制御するように配線された、本開示の一実施形態による制御モジュールを示している。
【図１５Ｃ】１つ以上の照明器具を制御するように配線された、本開示の一実施形態による制御モジュールを示している。
【図１６】本開示の一実施形態による制御モジュールの例示的なインタフェースを示している。
【図１７】本開示の一実施形態による照明システムで使用される例示的なインタフェースケーブルを示している。
【図１８】本開示の一実施形態による制御モジュールを備えてもよい他の例示的な回路を示している。
【図１９】１つ以上のセンサまたはスイッチと通信するために使用される本開示の一実施形態による受信器を示している。
【図２０Ａ】任意のタイプのバラストのための制御信号を供給することができる本開示の一実施形態による受信器を示している。
【図２０Ｂ】本開示の一実施形態による受信器を備えてもよい例示的な回路を示している。
【図２１Ａ】１つ以上のセンサから制御信号を送信できる、本開示の一実施形態による送信器を示している。
【図２１Ｂ】１つ以上のセンサから制御信号を送信できる、本開示の一実施形態による送信器を示している。
【図２２】本開示の一実施形態による送信器およびセンサの例示的な配置を示している。
【図２３】本開示の一実施形態による送信器およびセンサの他の例示的な配置を示している。
【図２４Ａ】本開示の一実施形態による送信器を備えてもよい例示的な回路を示している。
【図２４Ｂ】本開示の一実施形態による送信器を備えてもよい例示的な回路を示している。
【図２５】本開示の一実施形態による送信器を備えてもよい回路図を示している。
【図２６】本開示の一実施形態による照明システムで使用されてもよい例示的なスイッチを示している。
【図２７Ａ】本開示の一実施形態によるスイッチのための例示的なアセンブリを示している。
【図２７Ｂ】本開示の一実施形態によるスイッチのための例示的なアセンブリを示している。
【図２７Ｃ】本開示の一実施形態によるスイッチのための例示的なアセンブリを示している。
【図２８】本開示の一実施形態によるスイッチを備えてもよい例示的な回路を示している。
【発明を実施するための形態】
【００１５】
本開示は一般に照明・エネルギ制御システムに関する。幾つかの実施形態では、新規な照明器具、光源、または、他のエネルギ消費装置の設置を容易にできる制御モジュールが設けられる。制御モジュールは、様々なジャンクションボックスまたは照明器具に置き換えることでき、したがって、コストまたは設置制約に起因して得難い多種多様な照明設備にエネルギ制御器およびセンサ制御器を配置できる。
【００１６】
図１Ａは、１つ以上の照明器具を制御して給電できる照明システム１００の例示的なブロック図を示している。図示のように、制御モジュールまたは制御装置１２０は、様々な接続を介して、受信器１４５、センサ１５０、ジャンクションボックス１５５、器具回路１６０、および／または、照明器具１０５Ａ、１０５Ｂ、１０５Ｃ、１０５Ｄおよび１０５Ｎ（任意の数の照明器具を表わす）と通信する。ジャンクションボックス１５５は、照明器具１０５Ａ〜Ｎへの電力供給「フィーダ」に沿って存在する任意の標準的なジャンクションボックス、または、電気技師によって付加されるボックスであってもよい。制御モジュール１２０は、供給ラインから電力を引き込んで、照明器具１０５Ａ〜Ｎへの電力の流れを遮断するように配線され得る−したがって、器具のＯＮ−ＯＦＦ制御を与える。特定の器具においては、１２５Ａ〜Ｂによって完全調光が与えられる（後述する）。照明器具１０５Ａ〜Ｎは、実際には、１つ以上のバラスト（図示せず）および１つ以上のランプ、電球、ＬＥＤ、モータ、または、光源（図示せず）を含むがこれらに限定されないほぼ任意のタイプの制御可能な負荷を表わすことができる。照明器具１０５Ａ〜Ｎは、１つ以上のバラスト（図示せず）および１つ以上のランプ、電球、ＬＥＤ、または、光源（図示せず）を含むことができる。システム１００内の通信は、例えば、１つ以上の有線、無線技術、ケーブル、または他のデジタルもしくはアナログ技術、これらの技術を行なうための装置、無線通信、ローカルエリアネットワーク（ＬＡＮ）、広域ネットワーク（ＷＡＮ）、またはインターネットによって行なわれてもよい。留意すべきは、制御モジュール１２０、受信器１４５、またはセンサ１５０は、物理的に別個の装置に存在してもよく、あるいは、同じ装置に組み込まれてもよい。
【００１７】
ジャンクションボックス１５５は、一連の照明器具１０５Ａ〜Ｎを給電するフィーダ回路の一部として存在してもよく、あるいは、導管に沿って加えられてもよい。例えば、建物が建設される際、電気技師は、供給ラインを導管に通してもよく、また、その導管に沿って１つ以上のジャンクションボックスを延在させてもよい。電気技師は、これらのうちのいずれかへと制御モジュール１２０を配線してもよい。その場合、通常は照明器具へと延びる電源から制御モジュールに給電した後に、制御モジュール１２０を通じた照明器具への下流側の流れを遮断し、それにより、制御モジュール１２０を介して照明器具をＯＮ／ＯＦＦ制御できるようにする。例えば、電気技師は、ジャンクションボックス１５５内のブラックホットリード線をカットし、それをホワイトニュートラルと共に制御モジュールに配線してもよい。
【００１８】
留意すべきは、システム１００が１つの受信器１４５および１つのセンサ１５０を示すが、システム１００は、１つまたは複数の受信器１４５、１つまたは複数のセンサ１５０、および、１つまたは複数の制御モジュール１２０を含んでもよい。一実施形態では、配線を第２のインタフェース１３０とほぼ本質的に「並列接続する」他のインタフェースを装置１２０に加えることができる。これは、装置１２０の外部に「Ｙケーブルアダプタ」として存在し、あるいは、単に制御モジュール１２０自体に他のインタフェースとして存在し得る。第２のインタフェース１３０においては、ライン１３５Ａ〜Ｄが他の器具の第２の「デイジーチェーン」制御モジュールへと延びることができる。したがって、１つの受信器１４５が複数の制御モジュールを制御することができる。他の実施形態において、１つまたは複数のセンサ１５０は、例えば部屋、建物、または、廊下の種々の照明ゾーンあるいは領域と関連付けられる１つまたは複数の受信器１４５へ制御信号または測定信号を送信してもよい。センサ１５０によって受信器１４５へ送信される制御信号または測定信号は、その後、例えばディップスイッチを介してアドレス指定を使用して種々の照明ゾーンと関連付けられる照明器具１０５Ａ〜Ｎを制御する制御モジュール１２０へ送ることができる。送信された制御信号または測定信号に基づいて、接続されあるいは特定の制御モジュール１２０により制御される照明器具１０５Ａ〜Ｎを個別に制御することができる。例示的な実施形態では、個人が廊下まで徐々に歩いていくときに照明器具１０５Ａ〜ＮをＯＮ／ＯＦＦさせるために一連のモーションセンサ、受信器１４５、および、制御モジュール１２０の３点セットが廊下の全体にわたって使用されてもよい。なお、センサ１５０、受信器１４５、および、制御モジュール１２０の他の形態が使用されてもよい。
【００１９】
受信器１４５は、１つまたは複数のセンサ１５０と無線で通信するために、無線インタフェース、または、ほぼ任意の互換無線装置、例えば互換無線インタフェースを有するコンピュータ、無線遠隔制御器、無線壁面スイッチ、互換無線ネットワークを含むことができる。受信器１４５は、センサ１５０から離れて遠隔的に取り付けられあるいは配置されてもよく、マイクロコントローラを含んでもよい。例えば、受信器１４５は、照明器具１５０Ａ〜Ｎを操作するあるいは制御するために使用され得るコンピュータまたはセンサ１５０から測定値および／または信号を受信できる。受信された信号または測定値に基づいて、受信器１４５は、照明器具１０５Ａ〜Ｎのための制御信号を制御モジュール１２０に供給できる。一実施形態において、受信器１４５および制御モジュール１２０は、照明器具１０５Ａ〜Ｎのバラストによって生成される電磁波妨害（ＥＭＩ）を低減するために有利に離れて存在してもよい。例えば、システム１００の幾つかの形態では、受信器１４５が照明器具１０５Ａ〜Ｎの外側に配置されてもよく、また、制御モジュール１２０が、照明器具１０５Ａ〜Ｎの近傍に存在してもよく、または、全体的にあるいは部分的に照明器具１０５Ａ〜Ｎ内に収容されてもよい。
【００２０】
センサ１５０は、照明器具１０５Ａ〜ＮのためのＯＮ／ＯＦＦ信号および／または調光制御信号を供給することができる。センサ１５０は、受信器１４５と無線通信するための無線インタフェースを含む。モーション、集光、タイマ、リアルタイムクロック、遠隔制御等を含めて、様々なタイプのセンサ１５０をシステム１００で使用することができる。幾つかの実施形態では、センサ１５０が受信器１４５から分離して位置されてもよい。これは、センサを照明器具１０５Ａ〜Ｎおよび受信器１４５から離れて配置することによりセンサ１５０によって取得される測定値を改善できるからである。例えば、幾つかの実施形態では、センサ１５０が集光センサを備えるときに、照明器具１０５Ａ〜Ｎが、センサ１５０により測定される周辺光を妨げることができる。したがって、センサ１５０を受信器１４５から分離することにより、システム１００の動作を向上させることができる。また、制御モジュール１２０、受信器１４５、および、センサ１５０にわたってシステム１００の機能を分割することにより、例えば、システム１００の性能を向上させることができ、設置を容易にできるとともに、配線を最小限に抑えることで設置コストを低減することができる。
【００２１】
制御モジュール１２０は、照明器具１０５Ａ〜Ｎに電力および制御を与えるために様々な形態で設置することができる。例えば、制御モジュール１２０は、１つまたは複数の光源、電球、ランプ、ＬＥＤ等に接続されてもよい１つまたは複数のバラストを制御してもよい。また、制御モジュール１２０は、他のエネルギ消費装置（図示せず）、例えばモータ、ヒータ、電気器具、または、ＯＮ／ＯＦＦスイッチを有する他の装置を制御してもよい。また、制御モジュール１２０がジャンクションボックスに接続されてもよく、それにより、器具回路１６０は、照明器具１０５Ａ〜Ｎが繋ぎ合わされるときにそれらを制御することができ有利である。幾つかの実施形態において、制御モジュール１２０は、ジャンクションボックス１５５に対して直接にあるいは他の媒介、導管、または、回路を介して接続されあるいは配線されてもよい。制御モジュール１２０は、後述するように様々な出力および入力を与える１次インタフェース１３７、２次インタフェース１３０、および、調光ライン１２５Ａ〜１２５Ｂなどの１つまたは複数のインタフェースを含んでもよい。これらのインタフェースは、同じインタフェースへと組み合わせることができ、あるいは、別個のインタフェースへと更に分けられてもよい。また、制御モジュール１２０は、２次インタフェース１３７、受信器１４５、または、システム１００の他の構成要素に電圧を供給するための電源（図示せず）を含んでもよい。
【００２２】
図１Ｂは、図１Ａのシステムで使用されてもよい制御モジュール１２０の例示的な上立面図を示している。図示の実施形態において、制御モジュール１２０は、照明器具１０５Ａ〜Ｎの調光バラスト（図示せず）を制御するべく調光信号を供給するために調光ライン１２５Ａ〜Ｂを含んでもよい。例示的な実施形態において、調光ライン１２５Ａ〜Ｂは、パ〜プル（またはバイオレット）およびグレーの調光ラインとなることができ、また、１８アメリカン・ワイヤ・ゲージ（ＡＷＧ）規格の配線から形成されてもよい。例えば、パープル調光ライン１２５Ａは０〜１０ボルト（Ｖ）の調光信号を供給してもよく、また、グレー調光ライン１２５Ｂは接地に対する基準を与えてもよい。また、制御モジュール１２０は、例えば照明器具１０５Ａ〜Ｎに対して制御を与える１次インタフェース１３７を含むことができる。１次インタフェース１３７は、照明器具１０５Ａ〜Ｎまたは他の負荷装置、例えばモータ、ヒータ、あるいは、他のエネルギ消費装置の１次電力の制御および物理的／電気的分離を行なってもよい。例えば、１次インタフェース１３７は、照明器具１０５Ａ〜Ｎへの電力を制御するために調光バラストまたは非調光バラストなどの１つまたは複数のバラストに結合されてもよい。
【００２３】
１次インタフェース１３７は、例えばリレー配線１４０Ａ〜Ｂおよび１次電力供給ライン１４０Ｃ〜Ｄなどの１つまたは複数の１次高電圧入力または出力を含むことができる。リレー配線１４０Ａ〜Ｂは、例えば定格が摂氏１０５度（Ｃ）および／または６００ボルト（Ｖ）の１４アメリカン・ワイヤ・ゲージ（ＡＷＧ）規格の配線から成る２つの赤色６インチのリード線を含んでもよい。リレー配線１４０Ａ〜Ｂは、例えば照明器具１０５Ａ〜Ｎを制御するためのパススルー信号または調光信号を受信器１４５から供給するためにリレー装置のリレー接点に接続されてもよい。注目すべきは、調光ライン１２５Ａ〜Ｂ（前述した）およびリレー配線は、標準的なＯＮ／ＯＦＦバラスト、ステップバラスト、または、高／低バラストを含む他のタイプのバラストを制御するように構成されてもよい。１次電力ライン１４０Ｃ〜Ｄは、１８アメリカン・ワイヤ・ゲージ（ＡＷＧ）規格のブラック配線またはホワイト配線であってもよく、また、リレー配線１４０Ａ〜Ｂとほぼ同様の特性を有してもよい。１次電力ライン１４０Ｃ〜Ｄは、制御モジュール１２０の電源（図示せず）に電力を供給してもよい。
【００２４】
制御モジュール１２０は、例えば受信器１４５に対して低電圧出力機能を与えることができる２次インタフェース１３０を更に含んでもよい。図示のように、２次インタフェース１３０は、複数のピン、出力、または、入力１３５Ａ〜Ｄを含んでもよい。２次インタフェース１３０は、信頼できる構造の低コストジャック、例えば、小型のクラス１もしくは２の電話プラグ、ＲＪ１１、ＲＪ１４、または、ＲＪ４５プラグであってもよい。例示的な実施形態では、２次インタフェース１３０がジャックを備える場合、２次インタフェースは以下のピン割り当てを有してもよい。すなわち、ピン１３５Ａが照明器具１０５Ａ〜ＮのＯＮ／ＯＦＦ制御のための入力を供給してもよく、ピン１３５Ｂを供給される他の電圧のための接地基準にすることができ、ピン１３５Ｃが調光バラストを制御するための入力、例えば０〜１０ボルト（Ｖ）を供給してもよく、また、ピン１３５Ｄが１２ボルト（Ｖ）などの電力出力を供給してもよい。ピン１３５Ｄは、例えば電力を受信器１４５へ供給するために使用されてもよい。他のＲＪ１１ジャックを第１に加えることができ、それにより、第１からのラインが第２に対して並列になる。その結果、これにより、１つの受信器からの更なる制御モジュールの「デイジーチェーン」が可能になり、共通の制御および経済的利点が得られる。
【００２５】
例示的な実施形態において、制御モジュール１２０は、２次インタフェース１３０を介して２次インタフェースケーブル１３６により受信器１４５に作用的に結合されてもよい（図１参照）。この場合、制御モジュール１２０は、入力ピン１３５Ａおよび１３５Ｃを介して受信器１４５から制御信号を受信することができる。制御モジュール１２０は、リレーを実装してもよく、また、入力ピン１３５Ａおよび１３５Ｃから受信された信号に基づいてもよい調光信号またはパススルー信号を器具回路１６０へ供給してもよい。この場合、放射される光の量または大きさを制御するために、リレーからの出力信号およびパススルー信号、例えば１次インタフェース１３７および調光ライン１２５Ａ〜Ｂを、照明器具１０５Ａ〜Ｎの１つまたは複数のバラストに結合することができる。
【００２６】
２次インタフェース１３０は、受信器１４５または他の装置を接続するために使用される配線またはケーブルの量を減らすことにより制御モジュール１２０の設置を容易にすることができる。例えば、２次インタフェースケーブル１３６などの単一ケーブルを使用して２次インタフェース１３０を受信器１４５に接続することができる。また、２次インタフェース１３０は、幾つかの設置において制御モジュール１２０がバラストに近接するため、照明器具１０５Ａ〜Ｎのバラストを制御するために必要な配線の量を低減することができる。例えば、システム１００の電気技師または設置者は、照明器具１０５Ａ〜Ｎ内で短い距離にわたって調光ライン１２５Ａ〜Ｂをバラストへと延ばす必要があるかもしれない。
【００２７】
注目すべきは、制御モジュール１２０を任意の既存の照明器具または照明システムに組み込むように構成することができ、また、制御モジュール１２０は、特定のバラスト構造のための任意のカスタマイズされたコントローラの必要性を排除することができる。また、制御モジュール１２０は、１つまたは複数の照明器具を操作してもよく、あるいは、回路全体に対して制御を行なうために標準的な電気ジャンクションボックスに接続することができる。幾つかの実施形態では、制御モジュール１２０が１つまたは複数の入力信号を受信器１４５から受信してもよい。受信器１４５は、照明器具を操作するための電力制御または測定値を受信してもよく、これらは、集光またはモーション制御、あるいは、コンピュータ装置などの様々なセンサから例えば無線で送信されてもよい。
【００２８】
図２Ａは、制御装置２００を備えてもよい例示的な構成要素を示している。図示のように、制御装置２００は、電源２０５、リレー２１０、調光ライン２２５Ａ〜Ｂ、２次インタフェース２３０、および、１次インタフェース２３７を含むことができる。一般に、電源２０５は、スイッチング電源またはリニア電源となることができ、また、約１２０ＶＡＣ〜約２７７ＶＡＣを伝送する１次電力ライン２４０Ｃ〜Ｄなどの１次高電圧ラインを低電圧ラインおよび他の回路から分離できるように絶縁されてもよい。１つのリレーが制御のために２次インタフェース２３０に接続されて示されているが、それは、制御装置２００において、２次インタフェース２３０のピン数が多いコネクタを介して、複数のリレー２１０にまで及んでもよい。これにより、同じ器具内のステップバラストおよび高／低バラストまたは単に複数のバラストを制御できる。
【００２９】
電源２０５は、約１５０ミリアンペア（ＭＡ）で約１２ボルトの直流電流（ＶＤＣ）を生成できる。約１２ボルトの選択は例示であり、他の電圧ならびに２４ボルトの赤外線センサ、紫外線センサ、および、感光センサなどの他のセンサを扱う異なる電源構造を用いて他の出力電圧が供給されてもよい。図示のように、電源２０５は、電力を受けるために１次電力ライン２４０Ｃ〜Ｄに接続されてもよい。リレー２１０は、ＯＮ時にこの電源の約７０ＭＡを消費してもよい。電源２０５によって生成される残りの量の電力（約８０ＭＡ）は、エネルギ消費装置による使用のために２次インタフェース２３０のピン出力２３５Ｂへ送ることができる。電源２０５は、異なる供給電圧を受け入れるためにタップ付き変圧器を使用することができ、あるいは、「汎用入力」電源であってもよい。例示的な実施形態では、電源２０５が汎用入力スイッチング電源を備える場合、該電源は、約８５ＶＡＣ程度の低い電圧から約３７７ＶＡＣを超える電圧に至る電力ライン供給電圧を生成してもよい。
【００３０】
リレー２１０は、５アンペア、２７７ＶＡＣ、または、２０アンペア、２７７ＶＡＣ互換のリレーまたは半導体デバイススイッチであってもよい。例えば、リレー２１０は、日本国の東京都の富士通株式会社により製造される製造部品番号ＦＴＲ−Ｋ３ＪＢ０１２Ｗなどの電力リレー、または、半導体スイッチ、例えばトライアックあるいは他の代替物であってもよい。また、リレー２１０は、半導体デバイス、例えば適切にバイアスされたトランジスタ、ＭＯＳＦＥＴ、または、光アイソレータを介して制御されてもよい。この付加は、リレー２１０が可能とし得るよりも低いリターン電流を２次インタフェース２３０にわたって許容してもよい。また、それにより、リレー２１０は、２次インタフェースケーブル１３６が制御モジュール１２０の２次インタフェース２３０に接続されないときにＯＮのままとなることができてもよい。
【００３１】
図示の実施形態において、リレー２１０は、ドライ接点出力２３８および１次電力ライン２４０Ｃ〜Ｄを含んでもよい。例えば、ドライ接点出力２３８は、更なるエネルギ装置を制御するために２つのリレー配線２４０Ａ〜Ｂを含むことができる。ドライ接点出力２３８により、制御モジュール２００が多種多様な更なる装置を制御することができ有利である。最も注目すべきは、これらの装置は、絶縁の必要性に関して、独立し、かつ異なる電源および／または負荷を必要としてもよい形態を成す。例えば、照明器具１０５Ａ〜Ｎとしては、更なる装置のための更なる供給電圧を生み出すために、更なる装置の供給電圧を検討する必要がなくかつ／または電源２０５を調整する必要がない。
【００３２】
２次インタフェース２３０は、供給される他の電圧のための接地基準を与えるためのピン２３５Ａと、１２ボルト（Ｖ）などの電力出力を供給するためのピン２３５Ｂと、照明器具１０５Ａ〜ＮのＯＮ／ＯＦＦ制御のための入力を供給するピン２３５Ｃと、０〜１０ボルト（Ｖ）などの調光バラストを制御するための入力を供給するピン２３５Ｄとを含んでもよい。２次インタフェース２３０は、受信器１４５に電力を供給するとともに、照明器具１０５Ａ〜Ｎのための制御信号を受信するために、２次インタフェースケーブル１３６（図１参照）を介して受信器１４５に接続されてもよい。図示のように、調光信号を受信器１４５からバラストへ供給するために、調光ライン２２５Ａ〜Ｂを２次インタフェースピン２３５Ｄおよび電源２０５のピン２３５Ａのそれぞれに直接に接続できる。また、ドライリレー接点２４０Ａ〜Ｂを使用してＯＮ／ＯＦＦ制御信号を受信器１４５から中継するために、２次インタフェースピン２３５Ｂをリレー２１０に接続できる。
【００３３】
図２Ｂは、図２Ａの制御モジュール２００を備えてもよい例示的な回路を示している。制御モジュール２００は、絶縁汎用入力スイッチング電源２０５と、リレー２１０と、２次インタフェース２３０と、１次電力ライン２４０Ｃ〜Ｄとを含むことができる。図示のように、２次インタフェース２３０およびその入力・出力ピン２３５Ａ〜Ｄは、ＲＪ−１１ジャックとして設けられてもよい。更に図示されるように、リレー２１０は、ドライリレー配線２４０Ａ〜Ｂなどのドライ接点出力２３８を含むことができる。制御モジュール２００は図示のように特定のアイソレータまたは受動素子を含んでもよいが、実施形態に応じて様々な異なる素子を置き換え可能に使用できる。また、制御モジュール２００をデジタル回路として実現できる。
【００３４】
制御モジュール２００は、例えば、受信器からの入力信号に基づいて１つまたは複数の出力信号を供給して照明器具の１つまたは複数のバラストを制御するように構成することができる。一実施形態において、制御モジュール２００は、出力信号を供給して照明器具を制御するためにコントローラを含んでもよい。あるいは、コントローラは、受信器上など、外的に設けられてもよく、また、制御モジュール２００は、受信器により供給される制御信号を中継してもよい。
【００３５】
制御モジュールは、バラスト、モータ、電気器具、または、ＯＮ／ＯＦＦスイッチを有する他の装置などの様々な装置に対して制御および電力を供給するために、中継を行なうとともに、１つまたは複数のインタフェースに接続される出力を有してもよい。例えば、１つまたは複数の出力信号を使用して、１つまたは複数のバラストに接続されるランプまたは光源に対して調光あるいはＯＮ／ＯＦＦ制御を行なうことができる。また、出力をジャンクションボックスに接続して、例えば回路または配線を介してジャンクションボックスに作用的に接続されてもよい複数の照明器具または照明領域を制御することができる。
【００３６】
図３Ａは、図１Ａの制御装置１２０およびジャンクションボックス３５５の例示的な設置３００を示している。図示のように、制御装置１２０は、ジャンクションボックス３５５の標準部品をノックアウト加工して１次インタフェース３３７をノックアウト穴３６０に挿通することによりジャンクションボックス３５５に結合されてもよい。また、ジャンクションボックス３５５は、例えば器具回路１６０に接続するために他のノックアウト穴（図示せず）を貫通して抜け出てもよい他のケーブルまたは配線を含んでもよい。このノックアウト貫通設置において、ジャンクションボック３５５は、電力を供給するための供給電圧から制御モジュール１２０の１次電力ライン３４０Ｃ〜Ｄへと至るラインを含むことができる。また、ジャンクションボックス３５５は、照明器具１０５Ａ〜Ｎおよび／または一連の照明器具へと延びるフィーダラインを含むこともできる。
【００３７】
図示の実施形態では、１次インタフェース３３７、リレー配線３４０Ａ〜Ｂ、および、１次電力ライン３４０Ｃ〜Ｄがノックアウト穴３６０内に挿入されてもよい。ストッパバンド３５７を使用して、１次インタフェースをノックアウト穴３６０内にスナップ留めあるいはロックすることができる。この場合、リレー配線３４０Ａ〜Ｂおよび１次電力ライン３４０Ｃ〜Ｄは、配線（図示せず）またはフィーダライン（図示せず）を介して供給電圧に接続されてもよい。
【００３８】
注目すべきは、１次供給ライン３４０Ｃ〜Ｄをジャンクションボックス３５５の内側に配置することができ、一方、低電圧調光ライン３２５Ａ〜Ｂおよび／または２次インタフェース３３０をジャンクションボックス３５５の外側に配置することができる。これにより、安全のため、また、建築基準要件を満たすために、物理的分離および電気的絶縁を維持することができ有利である。また、バラストあるいは代わりの負荷装置、例えば照明器具または一連の照明器具内の調光可能バラストを調光ライン３２５Ａ〜Ｂにつなぐことができる。例えば、建築基準要件に応じて、この接続は、レギュラ〜クラスＩＩ配線、プレナム定格配線を介することができ、あるいは、これらのラインのための別個の導管を延在させることにより成すことができる。また、調光可能なバラストまたは代わりの負荷装置が存在しない場合には、調光ライン３２５Ａ〜Ｂを単に終端させあるいはキャップで被われることができる。
【００３９】
連鎖状の態様で、例えば並列に、または、いわゆる「ストリンガ」用途で照明器具が結合されてもよい幾つかの実施形態では、１次インタフェース３３７をジャンクションボックス３５５のノックアウト穴（図示せず）内に挿入することができる。これにより、器具回路１６０などの１次回路を制御モジュール１２０に対して作用的に接続することができる。この場合、器具回路１６０または他の回路からの配線をジャンクションボックス３５５または１次出口ボックス内で配線して、制御モジュール１２０から制御信号を受信することができる。また、この形態により、２次インタフェースケーブル３３６などの低電圧ラインを１次回路ラインから安全な距離を隔ててジャンクションボックス３５５の外側に保持することができ有利である。
【００４０】
図３Ｂは、図３Ａの設置３００で使用されてもよい例示的なジャンクションボックス３５５を示している。ジャンクションボックス３５５は、例えば一連の照明器具１０５Ａ〜Ｎを制御するために使用することができる。ジャンクションボックス３５５により照明システム３００を迅速にかつ安全に設置することができ有利である。ジャンクションボックス３５５は、電力配線等の配線およびケーブルを照明器具１０５Ａ〜Ｎの内外で延ばすことができるように、１つまたは複数の事前に形成されたノックアウト部分または打ち抜き部分３７０Ａ〜Ｎを側面に含んでもよい。抜き打ち部分３７０Ａ〜Ｎは、直径が約０．８８５インチであってもよく、除去される際には照明器具１０５Ａ〜Ｎに穴を形成できる。
【００４１】
例えば、一連の照明器具１０５Ａ〜Ｎは、１つまたは複数のジャンクションボックス３５５に沿ってフィーダ経路を含むことができる。抜き打ち穴３７０Ａ〜Ｎがジャンクションボックス３５５から打ち抜かれるときには、制御装置１２０の１次インタフェース３７７を接続することができる。また、ジャンクションボックス３５５がフィーダ経路に沿って存在しない場合には、ジャンクションボックス３５５を容易に設置して、制御モジュール１２０の１次インタフェース３３７と接続することができる。例えば、ジャンクションボックス３５５を居住施設内または商業施設内の天井に設置できあるいは壁に装着できる。留意すべきは、例えば、ジャンクションボックス３５５が使用される場合には、制御モジュール１２０のリレーライン３４０Ａ〜Ｂによって装置負荷をすることが制御できる。
【００４２】
ノックアウト部分３７０Ａ〜Ｎが除去されると、約１２０〜２７７ＶＡＣ、１２Ｖ低電圧制御ラインなどの入ってくる１次電力供給ラインの物理的な分離を可能にするノックアウト穴を形成することができる。この物理的な分離は、システム設置３００の安全性を大きく高めることができる。また、建物内の任意の場所にジャンクションボックス３５５を配置することができ、あるいは、建物内の任意の場所にジャンクションボックスを配置することができる。
【００４３】
図４Ａ〜４Ｂは、図１Ａの制御モジュール４２０および照明器具４００の例示的な設置を示している。図４Ａでは、制御モジュール４２０を照明器具４００内に完全に収容するあるいは配置することができる。あるいは、制御モジュール４２０の一部を照明器具４００内に配置させて、制御モジュール４２０が照明器具４００内に部分的に配置されるようにすることができる。図４Ｂに最も良く示されるように、照明器具４００は、照明器具４００の１つまたは複数の面上に抜き打ちあるいはノックアウト部分を含むことができる。ノックアウト部分４７０は直径が約０．８８５インチであってもよい。ノックアウト部分４７０が除去されると、電力ラインを、制御モジュール４２０に向けて、特に１次インタフェース４３７の１次電力ライン４４０Ｃ〜Ｄに向けて、器具内へと延在させることができる。
【００４４】
引き続き図４Ａを参照すると、制御モジュール４２０を照明器具４００内に完全に挿入することができる。制御モジュール４２０は、両面粘着発泡体を使用して照明器具４００内に装着あるいは配置することができ、または、１つまたは複数のネジ穴（図示せず）によって取り付けることができる。図示のように、調光ライン４２５Ａ〜Ｂをバラスト４０５へと配線することができる。１次電力ライン４４０Ｃ〜Ｄは、それらを照明器具４００の１次側に設けられる１次ノックアウト穴（図示せず）に挿通することにより、照明器具４００の外側に設けられる電力供給ラインに対して接続することができる。また、リレーライン４４０Ａ〜Ｂは、１次ノックアウト穴を使用して照明器具４００の１次側の外側に延ばされてもよく、また、他の照明器具またはジャンクションボックス（図示せず）へと延ばされてもよい。２次インタフェース４３０が２次ノックアウト穴４３０内に配置されてもよく、かつ／または、２次インタフェースケーブル４３６が２次ノックアウト穴４３０の外側に延びて、例えば受信器１４５に接続されてもよい。これにより、調光ライン４２５Ａ〜Ｂなどの低電圧ラインおよび１次供給ライン４４０Ｃ〜Ｄなどの高電圧ラインが、器具の内側にとどまることができ、かつ／または実質的に低電圧を有する２次インタフェースケーブル４３６から分離したままとなることができ有利である。
【００４５】
また、制御モジュール４１０がジャンクションボックスのような方法（図示せず）で照明器具４００に配線されてもよい。例えば、制御モジュール４２０を照明器具４００の外側に配置することができ、また、１次電力ライン４４０Ｃ〜Ｄおよびリレーライン４４０Ａ〜Ｂを外側からノックアウト穴を通じて照明器具４００内へと延在することができる。この場合、調光ライン４２５Ａ〜Ｂが任意に他のノックアウト穴を通じて調光バラストへと延在されてもよい。
【００４６】
留意すべきは、制御モジュール４２０が照明器具４００の内側に設置されてもよい場合には、１次インタフェース４３７の１次電力ライン４４０Ａ〜Ｄが、照明器具４００に配置される「ノックアウト」穴の嵌め合い部分（図示せず）によって抜け出てもよい。これらのいわゆる「器具内（ＩＮ  ＦＩＸＴＵＲＥ）」用途では、制御モジュール４２０が，照明器具４００内に部分的にもしくは全体的に挿入されまたは収容されてもよい。ノックアウト部分は、１次インタフェース４３７または本明細書中に記載される他のインタフェース、例えばノックアウト穴を通じて挿入されて給電されるべき２次インタフェース４３０を受け入れるように寸法付けられ、かつ／または構成され得る。
【００４７】
注目すべきは、ノックアウト穴を通じて抜け出るリレーライン４４０Ａ〜Ｂおよび１次電力ライン４４０Ｃ〜Ｄにより、照明制御を複数の照明器具４００にわたって中継することができる。これにより、更なる照明器具が例えばセンサ１５０に基づいて同様の態様で操作されあるいは制御されるべき照明領域を形成することができ有利である。また、更なる照明器具が調光バラストまたは他のバラスト（図示せず）を含む場合には、１次電力ライン４４０Ｃ〜Ｄおよび／または調光ライン４２５Ａ〜Ｂをバラストに接続することもできる。照明器具４００の外側に存在してもよい受信器１４５へ入出力信号４３５Ａ〜Ｄを伝達するために、２次インタフェースケーブル４３６をノックアウト穴を通じて供給し、かつ／または１次インタフェース４３７を越えて配置することができる。照明器具４００の構造は変わることができるため、幾つかの設置では、照明器具の故障を回避するために、２次インタフェースケーブル４３６を器具回路などの１次回路ラインから物理的に分離した状態に保つことが有益な場合がある。第２のノックアウト穴を使用して、２次インタフェースケーブル４３６と１次回路ラインとの間の分離を維持してもよい。
【００４８】
図５Ａ〜５Ｃは、図１Ａのシステムで使用されてもよい制御装置５２０の典型的な側面図を示している。図５Ａ〜５Ｃに示されるように、制御装置５２０は、調光ライン５２５Ａ〜Ｂと、２次インタフェース５３０と、１次インタフェース５３７とを備えてもよい。調光ライン５２５Ａ〜Ｂは、１つまたは複数の照明器具１０５Ａ〜Ｎ内に収容されてもよい調光バラストを制御するための調光信号を供給することができる。
【００４９】
１次インタフェース５３７は、照明器具または他の負荷装置の物理的または電気的な分離および１次電力の制御を行なってもよい。１次インタフェース５３７は、例えば１次電力供給ライン５４０Ｃ〜Ｄおよびリレー配線５４０Ａ〜Ｂなどの１つまたは複数の１次高電圧入力または出力を含むことができる。リレー配線５４０Ａ〜Ｂは、受信器１４５から送信される入力信号に基づいてパススルー信号または調光信号を供給して照明器具１０５Ａ〜Ｎまたは他の負荷装置を制御するために、リレー装置のリレー接点に接続されてもよい。注目すべきは、調光ライン５２５Ａ〜Ｂ（前述した）およびリレー配線５４０Ａ〜Ｂは、標準的なＯＮ／ＯＦＦバラスト、ステップバラスト、または、高／低バラストを含む他のタイプのバラストを制御するように構成されてもよい。１次電力ライン５４０Ｃ〜Ｄは、制御モジュール５２０の電源（図示せず）に電力を供給してもよい。
【００５０】
２次インタフェース５３０は、低電圧出力機能を受信器に与えてもよく、また、複数のピン、出力、または、入力５３５Ａ〜Ｄを含んでもよい。また、２次インタフェース５３０は、信頼できる構造の低コストジャック、例えば、小型クラス１または２の電話プラグ、ＲＪ１１、ＲＪ１４、または、ＲＪ４５プラグであってもよい。２次インタフェース５３０は、以下のピン形態を有するジャックを備えることができる。すなわち、ピン５３５Ａが照明器具のＯＮ／ＯＦＦ制御のための入力を供給してもよく、ピン５３５Ｂを供給される他の電圧を測定するための接地基準にすることができ、ピン５３５Ｃが調光バラストを制御するための入力、例えば０〜１０ボルト（Ｖ）を供給してもよく、また、ピン５３５Ｄが１２ボルト（Ｖ）などの電力出力を供給してもよい。ピン５３５Ｄは、例えば電力を受信器１４５へ供給するために使用されてもよい。
【００５１】
図５Ａに最も良く示されるように、制御モジュール５２０の１次インタフェース側（または、高電力側）にストッパバンド５５７が設けられてもよい。ストッパバンド５５７は、１次インタフェース５３７の外周の任意の部分を覆うことができ、あるいは、設置を容易にするために１次インタフェース５３７の周囲で延びることができる。例示的な実施形態において、ストッパバンド５５７は、１次インタフェース５３７およびストッパバンド５５７が照明器具のノックアウト穴にスナップ係合できるようにし、かつリレー配線５４０Ｃ〜Ｄおよび１次電力ライン５４０Ａ〜Ｂを固定できるようにするスナップ式の細部を有することができる。あるいは、ストッパバンド５５７または１次インタフェース５３７を標準的なナットを用いてノックアウト穴に螺合し、かつ／または結合してもよい。
【００５２】
図５Ｂ〜５Ｃに描かれるように、２次インタフェース（または、低電圧インタフェース）５３０はＲＪ−１１などの標準的なジャックを備えてもよい。２次インタフェース５３０は、前述したピン５３５Ａ〜Ｄなどのジャックに接続される複数の内部配線を含んでもよい。０〜５ＭＡ出力、変調デジタル出力周波数、および／または、ＰＬＣインタフェース通信など、内部配線またはピンに関して更なる形態を使用できる。
【００５３】
注意すべきは、制御モジュール５２０がインタフェースジャックを備える２次インタフェース５３０を利用しない場合があるとき、複製の（または、代替的な）低電圧ラインまたは配線が設けられてもよい。複製低電圧配線は、制御装置５２０における特徴および制御の前述した組み合わせのうちのいずれかを含んでもよい。例えば、これらの低電圧ラインは、以下のもの、すなわち、バラストへの０〜１０Ｖ出力、他の装置（例えば、受信器１４５）への０〜５ＭＡ出力、複数の装置を接続するための低電圧カプラ、または、遠隔出力電源を含むことができる。また、これらのラインは、第三者動作、日光、または、他の照明に基づくセンサあるいはコンピュータデバイスから低電圧入力または絶縁接点クロージャを受け入れるように構成されてもよい。
【００５４】
図６Ａ〜６Ｂは照明システムのための制御器の例示的な配置を示している。両方の図６Ａ〜６Ｂにおいて、システム６００Ａおよび６００Ｂは、調光ライン６２５Ａ〜Ｂを使用して調光バラスト６０５に任意に接続される制御装置６２０を含むことができる。また、２次インタフェースケーブル６３６を介して受信器６４５を制御装置６２０に接続することができる。注目すべきは、受信器６４５は、ケーブルまたは無線インタフェース、例えば無線通信によって１つまたは複数のセンサ（図示せず）に接続されてもよい。無線受信器１４５の互換フォーマットの任意のタイプの無線信号が、（例えば受信器１４５への送信により）装置を制御できる。センサが制御要素として示されるが、無線信号は遠隔無線制御装置（例えば、無線壁面スイッチ、携帯リモコン、ネットワーク−無線−互換装置等）からくることができる。システム６００Ａおよび６００Ｂは、ＡＣ汎用入力電源などの入力電源６５５を含んでもよい。
【００５５】
図６Ａに示されるように、リレーライン６４０Ａ〜Ｂと入力電源６５５との組み合わせは、ほぼ同じ供給・負荷電圧を制御するように負荷装置６６０に配線できる。負荷装置６６０は、バラスト（通常または調光可能）、モータ、様々な光源、または、他のリレー接触器であってもよい。図６Ｂに示されるように、リレーライン６４０Ａ〜Ｂと入力電源６５５との組み合わせは、もう一つの方法として、負荷電圧とはかなり異なる電源の負荷装置６６０を制御するように配線することができる。ブラック配線およびホワイト配線であってもよい入力電力供給ライン６４０Ｃ〜Ｄは、重要な時間制御など、常時ＯＮの電力を負荷装置６６０に供給するために、常時ＯＮバックアップ電源となるように配線することができ有利である。また、リレーライン６４０Ａ〜Ｂは、あまり重要でない負荷または高電力負荷を制御することができる。あるいは、リレーライン６４０Ａ〜Ｂが低電圧ＨＶＡＣ接触器を制御してもよい。
【００５６】
図７は、１つまたは複数の照明器具へ制御を中継できる照明システムの例示的なブロック図を示している。図７に示されるように、照明器具７０５Ａ〜Ｎは制御モジュール７２０を含んでもよい。照明システムの様々な構成要素、例えば１つまたは複数の受信器７４５Ａ〜Ｎ、センサ７５１Ａ〜Ｎ、および、送信器７５２Ａ〜Ｎは、ケーブル、無線インタフェース、回路、または、導管を介して通信してもよくあるいは接続されてもよい。
【００５７】
図示の実施形態において、受信器７４５Ａ〜Ｎは、現場のセンサ７５１Ａ〜Ｎまたはスイッチから信号または制御コマンドを受けるために、無線インタフェースなどの通信インタフェース（図示せず）を含んでもよい。送信器７５２Ａ〜Ｎは、センサ７５１Ａ〜Ｎからの制御コンマンドを送ってもよい。受信器７４５Ａ〜Ｎは、混信を減らして送信器７５２Ａ〜Ｎとの通信を改善するために照明器具７０５Ａ〜Ｎの外側に装着されることができる。例えば、受信器７４５Ａ〜Ｎは、照明器具ハウジングの外面に一体に装着されてもよく、あるいは、ペンダント装着の照明器具の場合には、遠く離れて装着されてもよい。受信器７４５Ａ〜Ｎからの低電圧信号出力は、照明器具７０５Ａ〜Ｎのための入力制御信号をインタフェースケーブル７３６を介して供給するように制御モジュール７２０に接続してもよい。
【００５８】
制御モジュール７２０が、照明器具７０５Ａ〜Ｎに組み込まれてもよい。一実施形態において、制御モジュール７２０は、バラスト７０６と受信器７４５Ａ〜Ｎとの間のインタフェースとして作用するように構成されてもよい。制御モジュール７２０は、典型的に制御信号をバラスト７０６に供給し、該バラストは１つまたは複数のランプ７１５Ａ〜Ｎを作動させる。有利には、制御モジュール７２０がプラグ・アンド・プレイインタフェースを与えることができ、それにより、照明器具７０５Ａ〜Ｎが、任意のタイプの制御機能またはバラスト形態を備えることができ、更にはシステムと一体化できる。例えば、制御モジュール７２０は、標準的なＯＮ／ＯＦＦバラスト、完全調光バラスト、ステップバラスト、高／低バラスト等を含む様々なバラストに対して制御を行なってもよい。図示の実施形態に示されるように、制御モジュール７２０をチェーンケーブル７２６によって共に中継することができる。これにより、１つの受信器７４５、送信器７５２Ａ〜Ｎ、および／または、センサ７５１Ａ〜Ｎが複数の照明器具７０５Ａ〜Ｎを制御することができ有利である。
【００５９】
送信器７５２Ａ〜Ｎが、１つまたは複数のセンサ７５１Ａ〜Ｎと接続してもよい。例えば、送信器は、部屋の天井または壁に装着されてもよいセンサ７５１Ａ〜Ｎと接続してもよい。送信器７５２Ａ〜Ｎが例えばケーブルインタフェース７５３を介してセンサ７５１Ａ〜Ｎに接続されてもよい。幾つかの実施形態において、送信器７５２Ａ〜Ｎは、照明器具７０５Ａ〜Ｎによって放射される光を調整するために、１つまたは複数のセンサ７５１Ａ〜Ｎからケーブルインタフェース７５３を介して制御信号または他の信号を受信できてもよい。また、送信器７５２Ａ〜Ｎは、時間遅延を設定することができ、センサ７５１Ａ〜Ｎに給電できるとともに、制御コマンドを受信器７４５Ａ〜Ｎへ送信できる。集光センサ、モーションセンサ、集光センサとモーションセンサとの組み合わせ、オキュパンシーセンサ等を含む様々なセンサ７５１Ａ〜Ｎが、送信器７５２Ａ〜Ｎと共に使用されてもよい。
【００６０】
図８は、任意のタイプのバラストと接続できる例示的な制御モジュール８２０を示している。制御モジュール８２０は、受信器および任意のタイプのバラストと接続できる任意の数のインタフェースを含んでもよい。これらのインタフェースは、信号を伝えてバラストを制御するあるいは電力を供給する入力および出力を含んでもよい。図示の実施形態において、制御モジュール８２０は、電力を供給するための電力インタフェース８６１を含む。電力インタフェース８６１は、８５ＶＡＣ〜２７７ＶＡＣなどの電力を外部電源から受けるために電力供給ライン８６２Ａ〜Ｎを含んでもよい。電力供給ライン８６２Ａ〜Ｎは、ブラックおよび／またはホワイト配線であってもよく、また、制御モジュール８２０の一体型電源（図示せず）に接続されてもよい。
【００６１】
制御モジュール８２０は、入出力８３５Ａ〜Ｄを有する受信インタフェース８３０を更に備えてもよい。以下で更に詳しく説明するように、受信インタフェース８３０は、１２ボルトの電力、リターン、ＯＮ／ＯＦＦ制御、調光制御、ステップ制御、高／低制御、または、デュアルバラスト切り換え制御を与えてもよい。受信インタフェース８３０は、照明器具に設けられるノックアウト穴にケーブルを挿通させることにより受信器に接続することができる。接続されると、電力が受信器に供給されてもよく、また、バラスト制御のための制御信号が、受信インタフェース８３０を介して制御モジュール８２０へ送られてもよい。
【００６２】
また、制御モジュール８２０は、制御モジュール８２０を、他の制御モジュールにつなぐためのチェーンインタフェース８６６を含むことができる。チェーンインタフェース８６６は、受信インタフェース８３０の入出力８３５Ａ〜Ｎに似てもよいライン８６７Ａ〜Ｎを含んでもよい。これにより、制御モジュール８２０は、同じ照明器具または他の照明器具に設けられ得る複数の制御モジュールを制御することができるとともに、照明システムに必要とされる受信器の数を減らすことができ有利である。
【００６３】
更に示されるように、制御モジュール８２０は、調光ラインまたはピグテール８２５Ａ〜Ｎを有する調光インタフェース８２４を含んでもよい。調光ピグテール８２５Ａ〜Ｎは、０〜１０ボルト調光ラインを使用してバラスト器具を調整するための低電圧調光制御を行なうことができる。また、制御モジュール８２０はホットリレーインタフェース８６４を含むことができる。図示の実施形態において、ホットリレーインタフェース８６４は、例えばステップバラストまたはデュアルバラストの完全ＯＮ／ＯＦＦ制御を可能にするために２つのホットリレーコネクタ８６５Ａ〜Ｂを含む。あるいは、１つ、３つ、または、３を超えるホットリレーコネクタが使用されてもよい。
【００６４】
図９は、照明器具に設けられるノックアウトプラグに接続することができる制御モジュール９２０を示している。図示のように、制御モジュール９２０は、ノックアウトプラグと接続するためのインタフェース９０２を含んでもよい。インタフェース９０２は、電力供給ライン９６２Ａ〜Ｎ（例えば、ブラック／ホワイト配線）と、リレー接点の２つの組９６５Ａ〜Ｂおよび９６９Ａ〜Ｂとを含んでもよい。リレー接点９６５Ａ〜Ｂおよび９６９Ａ〜Ｂを使用して様々なバラストタイプを制御できる。また、制御モジュール９２０は、リターンライン９７２、２組の調光ライン９２５Ａ〜Ｂ、およびジャック９３０を含んでもよい。ジャック９３０は、余分なリレーおよび調光ラインをサポートするための４個または６個のピンを有することができ、また、制御信号を複数の制御モジュールに中継するために使用できる。
【００６５】
制御モジュール９２０は、標準的なＯＮ／ＯＦＦバラスト、完全調光バラスト、ステップバラスト、または、高／低バラストなどの複数のバラストと有利に接続することができる。これらのバラストを制御するため、制御モジュール９２０は、例えば、制御モジュール９２０での接続位置および器具アセンブラに対する接続位置の選択により、照明器具の内側に配置でき、利用可能な空間と一致する形状に形成できるとともに、配線利便性を与えることができる。制御モジュール９２０の形状ファクタは、照明器具の形状に適合するように長方形状または葉巻形状となるように選択できる。これは、バラストが通常長い隣接する電球によって与えられる十分な長さを伴って長くて細い長方形状を有しているからである。
【００６６】
図１０は、照明器具内に位置させることができる制御モジュール１０２０および想定し得る配線形態を示している。図示のように、制御モジュール１０２０は電力を供給するためのリード線１０６２Ａ〜Ｂを含む。制御モジュール１０２０は、受信器に接続できる受信ジャック１０３０を含むことができる。また、制御モジュール１０２０は、受信ジャック１０３０とほぼ同じ信号を伝えてもよいチェーンジャック１０６６を含んでもよい。チェーンジャック１０６６により、１つの受信器は、下流側の「デイジーチェーン接続された」同様の制御モジュールを駆動させることができる。また、図示のように、制御モジュール１０２０は、同じリターン１０２６を共有する２つの調光０〜１０ボルトライン１０２５Ａ〜Ｂを含むことができる。制御モジュール１０２０のリレー接点１０６５および１０６９がドライ接点であってもよい。あるいは、リレー（図示せず）の１接点を、リレー接点１０６５および１０６９に接続されるバラストに対してオファリングスイッチドブラック（ＯＦＦＥＲＩＮＧ  ＳＷＩＴＣＨＥＤ  ＢＬＡＣＫ）を与えることができるブラックホットリ−ド線に結合することができる。また、バラストのタイプに応じて、制御モジュール１０２０からバラストへの接続は、配線ピグテールであってもよく、または、プリント回路基板（ＰＣＢ）の端子台であってもよい。
【００６７】
図１１は、制御モジュール１１２０の例示的な構成要素のブロック図を示している。図示のように、制御モジュール１１２０は、電源１１０５、様々なインタフェースまたはジャック、およびリレー１１１０Ａ〜Ｂを含むことができる。図示の実施形態では、汎用８５〜２７７ＶＡＣライン入力などの電力ライン入力１１６２Ａ〜Ｂが、電源１１０５へと延びることができる。電源１１０５は、タップ付き変圧器、スイッチング電源等であってもよい。スイッチング電源構造では、低電力側１１０９の任意のものからライン供給側の任意のものを磁気的に分離することにより、ＵＬ  ＨＹＰＯＴのための絶縁を得ることができる。図示のように、約１２ボルトを供給するために低電力側１１０９にダイオード（例えば、通常またはショットキー）が設けられてもよく、また、１２ボルト供給電圧の「ダイオード−ＯＲ」形態で制御モジュール１１２０のチェーンインタフェース１１６６によりつなぐことができるように前記ダイオードを利用できる。例えば、各１２ボルト電源は、デイジーチェーン接続されると、ダイオードが使用されない場合に、他のデイジーチェーン接続された電源において問題を引き起こす場合がある。
【００６８】
更に示されるように、低電力側１１０９は、２つのリレー１１１０Ａ〜Ｂ並びに、並列にされ得る制御モジュール１１２０の受信ジャック１１３０およびチェーンジャック１１６６に対して電力を与える。ピン１１３５Ａを介して電力を供給するために受信ジャック１１３０を受信器に接続することができ、ピン１１３５Ｂはリターンであってもよく、ピン１１３５Ｃ〜ＤはＯＮ／ＯＦＦ制御のための入力信号を供給してもよく、また、ピン１１３５Ｅ〜Ｆは調光制御のための入力信号を供給してもよい。図示のように、チェーンジャック１１６６は、中継のためまたはデイジーチェーン接続目的で受信ジャック１１３０のそれぞれのピン１１３５Ａ〜Ｆに作用的に接続され得るピン１１６７Ａ〜Ｆを含んでもよい。注目すべきは、受信ジャック１１３０およびチェーンジャック１１６６が６個のピンを有するものとして描かれているが、４ピンジャックも使用することができる。
【００６９】
共通リターン１１２６を共有できる調光ライン出力１１２５Ａ〜Ｂも示されている。また、調光ライン出力１１２５Ａ〜Ｂは、制御ジャック１１３０の調光ライン１１３５Ｅ〜Ｆに接続できるとともに、調光制御を行なうために１つまたは複数のバラストの調光ライン入力に結合できる。リレー１１１０Ａ〜Ｂを使用して外部ライン電圧負荷を制御できる。図示のように、リレー１１０Ａ〜Ｂは絶縁が必要な場合にはドライ接点クロージャであってもよいが、リレーの一方側に供給電圧を結合すると、「切り換え電力」を与えることができ、外部配線を簡略化することができる。あるいは、リレー１１１０Ａ〜Ｂが半導体スイッチであってもよい。幾つかの実施形態において、リレー１１１０Ａ〜Ｂが動作中に過剰な電力を引き込む場合には、トランジスタまたはＭＯＳＦＥＴのバッファの形態を成してもよい任意の低電力駆動回路１１０６を使用することができる。この特徴がなければ、デイジーチェーン接続されたリレーは、受信器へ戻るリターンラインおよびその切り換え装置でのそれらのリレー電流を「合計」してもよい。低電力駆動回路１１０６のブロック機能の付加により、リターンライン電流をかなり減らすことができる。
【００７０】
図１２は、照明器具の複数のバラストを制御するように構成される制御モジュールを示している。図示のように、制御モジュール１２２０は、照明器具１２０５の内側に収容できるとともに、バラストおよびランプ１２０６Ａに対して、任意にバラストおよびランプ１２０６Ｂに対して作用的に接続することができる。制御モジュールは、電力を受けるために供給ライン１２６２Ａ〜Ｂを介して外部電源に接続されてもよい。図示の実施形態において、制御モジュール１２２０は、電力を外部受信器１２４５に対して供給してもよく、また、例えば雄−雄ＲＪ−１１ケーブルなどのケーブル１２３６により、受信器１２４５に接続される受信インタフェース１２３０を介して情報を受けてもよい。また、ＲＪ−１１ジャックなどのチェーンインタフェース１２６６は、これらの同じ制御信号を下流側の制御モジュール（図１５Ａに示される）へ供給できる。
【００７１】
バラスト１２０６Ａ〜Ｂは、調光ライン１２８１およびリターン１２８２を有するバラストなどの完全調光バラストであってもよい。図示のように、キャッシュバラスト（ＣＡＳＨ  ＢＡＬＬＡＳＴ）の完全独立ＯＮ〜ＯＦＦ制御または完全独立調光制御を有する２バラスト器具を制御するために制御モジュール１２２０を接続することができる。非独立調光が望ましい場合には、各バラストの両方の調光ライン１２８１を、他のバラストの関連制御モジュールが接続されていないままの状態で、並列にして制御モジュール１２２０のいずれかの調光ライン１２２５Ａまたは１２５５Ｂから駆動されることができる。バラスト１２０６Ａ〜Ｂのリターンライン１２８２を制御モジュール１２２０のリターン１２７２に接続することもできる。電力供給ライン１２６２Ｂ（接地）がバラスト１２０６Ａ〜Ｂのホワイトリードライン１１８３Ｂに接続されてもよい。
【００７２】
また、この形態は、非独立ＯＮ／ＯＦＦ制御においてもうまく機能し得る。この実施形態では、２つのバラスト１２０６Ａ〜Ｂの両方のＯＮ／ＯＦＦリード線１２８３Ａを並列に結合して制御モジュール１２２０のいずれかのＯＮ／ＯＦＦリレー１２６５ＡまたはＯＮ／ＯＦＦリレー１２６５Ｂの出力から駆動させることができる。また、バラスト１２０６Ａ〜Ｂのホワイトリード線１２８３Ｂを１２６２Ｂを介して接地配線することができる。注目すべきは、非調光バラストが調光ライン１２８１およびリターンライン１２８２の入力を含まなくてよいため、これらの非調光「標準」バラストを、同様の形態を使用してＯＮ／ＯＦＦ制御を有するように制御モジュール１２２０によって制御することもできる。
【００７３】
図１３は、照明器具１３０５内の複数の異なるバラストタイプを制御するように構成される制御モジュールを示している。図１２に関して説明したように、制御モジュール１３２０は、ブラックおよびホワイトの電力ラインを介したＯＮ／ＯＦＦ制御を有する標準的なバラスト、および調光ラインおよびリターンラインを更に有する完全調光バラストを制御することができる。また、制御モジュール１３２０は、ケーブル１３３６および受信インタフェース１３３０を介して受信器１３４５に接続されてもよい（前述した）。図１３に関して、制御モジュール１３２０は高／低（ＨＩ／ＬＯ）バラストまたはステップバラスト１３０６Ａ〜Ｂを制御してもよい。高／低バラストは、調光ラインまたはリターンラインを含まなくてもよいが、２本のブラックリード線１３８３Ａ〜Ｂおよび１本のホワイトリード線１３８４を含んでもよい。ステップバラストは、調光ラインまたはリターンラインのいずれかを含まなくてもよいが、２本のブラックリード線１３８３Ａ〜Ｂおよび１本のホワイトリード線１３８４を含んでもよい。
【００７４】
図示のように、バラスト１３０６Ａ〜Ｂを制御するためにリレー１３６５Ａ〜Ｂをブラックリード線１３８３Ａ〜Ｂに接続することができる。また、バラスト１３０６Ａ〜Ｂと十分にインタフェースをとるために電力供給ライン１３６２Ｂをホワイトリードライン１３８４に接続することができる。この場合、制御モジュール１３２０は、どのホットブラック配線１３８３Ａ〜Ｂを作動できるかに応じて中間レベルの光制御を行なうべく高／低バラストまたはステップバラストを制御することができ有利である。
【００７５】
図１４は、ドライ接点リレーを使用してバラストを制御するように構成される制御モジュールを示している。制御モジュール１４２０は、照明器具の内側に収容できるとともに、受信インタフェース１４３０に結合されるインタフェースケーブルを介して受信器１４４５に接続することができる。制御モジュール１４２０は、１対のドライ接点リレー１４１０Ａ〜Ｂを含んでもよい。図示のように、バラスト１４０６を制御するために、ドライ接点リレー１４１０Ａがバラスト１４０６のブラックリードライン１４８３Ａに結合されてもよい。この場合、電力供給ライン１４６２Ｂ（ホワイトライン）がバラスト１４０６のホワイトリードライン１４８３Ｂに接続されてもよい。
【００７６】
ドライ接点リレー１４１０Ａ〜Ｂは、制御モジュール１４２０の電源（図示せず）からリレーを絶縁する必要がある場合に幾つかの利点を与えることができ有利である。また、制御モジュール１４２０の電源電圧（例えば１２０ＶＡＣ）がバラスト１４０６への供給電圧（例えば、２７７ＶＡＣ）と異なってもよい場合には、ドライリレー接点１４１０Ａ〜Ｂが、配線利便性、緊急配線、または、更なるセキュリティを与えることができる。
【００７７】
図１５Ａ〜Ｃは、１つまたは複数の照明器具を制御するように配線された制御モジュールを示している。図１５Ａ〜Ｃにおいて、制御モジュール１５２０は、受信インタフェース１５３０を含むとともに、受信器１５４５を給電して制御信号を受けるために受信ケーブル１５３６を介して受信器１５４５に接続することができる。電力ライン１５６２Ａおよび受信ケーブル１５３６を照明器具に設けられる別個の器具出口穴１５７０Ａ〜Ｂに挿通して延在させることができる（図１５Ｂ〜Ｃに最も良く示される）。また、制御モジュール１５２０は、例えば単一の受信器１５４５からの制御信号を中継するために、他の制御モジュールへのデイジーチェーン自体に対するチェーンインタフェース１５６６を含んでもよい。制御モジュール１５２０は、バラスト１５０６Ａ〜Ｂを制御するためにリレー１５６５Ａ〜Ｂを含むこともできる。また、電力を制御モジュール１５２０’に供給するために電力ライン１５６２Ａ〜Ｂが外部電源に接続されてもよい。
【００７８】
図１５Ａ〜Ｂにおいて、制御モジュール１５２０は、標準的なバラスト（しかし、異なるタイプのバラストを使用することができる）のためのＯＮ／ＯＦＦ制御を行なうために複数の照明器具１５０５Ａ〜Ｂを制御する。リレー１５６５Ａ〜Ｂは、照明器具１５０５Ａのバラスト１５０６Ａ〜Ｂのブラックリードライン１５８３Ａにそれぞれ接続され得るホットリレーコネクタであってもよい。電力ライン１５６２Ｂ（ホワイトライン）をバラスト１５０６Ａ〜Ｂのホワイトリードライン１５８３Ｂに接続することができる。
【００７９】
チェーンインタフェース１５６６をチェーンケーブル１５６９を介して照明器具１５０５Ｂの制御モジュールにつなぐことができる。これにより、照明器具１５０５Ｂの制御バラスト１５０６Ｃが受信器１５４５からの制御信号を中継できるとともに、スレーブがマスターに従う照明器具のマスター／スレーブ制御を行なうことができる。例えば各制御モジュール１５２０の内部にあってもよい１２ボルトライン上のダイオード（図１１参照）を使用して、障害を伴うことなく動作を行なうことができる。
【００８０】
図１５Ｃにおいて、制御モジュール１５２０は、高／低バラストまたはステップバラストを含む複数のバラスト１５０６Ａ〜Ｂのための制御を行なう。バラスト１５０６Ａ〜Ｂにわたって中間レベルの光制御を行なうために、リレー１５６５Ａ〜Ｂをバラスト１５０６Ａ〜Ｂのブラックリード入力１５８３Ａ〜Ｂに接続することができる。受信器（図示せず）からの制御信号は、チェーンケーブル１５６９を使用してチェーンインタフェース１５６６を他の制御モジュールにデイジーチェーン接続することにより、他の高／低バラスト、ステップバラスト、ＯＮ／ＯＦＦバラスト、または、調光バラストに対して供給することができる。調光バラストまたはＯＮ／ＯＦＦバラストに対して制御を行なうために、チェーンインタフェース１５６６を介して調光信号１５２５Ａ〜Ｂを送ることができる。
【００８１】
図１６は制御モジュールの例示的なインタフェースを示している。制御モジュールは、入力信号を送信または受信し、あるいは電力を受信器または他の制御モジュールに供給するためにインタフェース１６３０、１６４０、１６５０、および１６６０を含んでもよい。インタフェース１６３０、１６４０、１６５０、および１６６０は、様々な入力ピンまたは出力ピンを有するジャックであってもよい。幾つかの実施形態では、標準的なＯＮ／ＯＦＦバラスト、調光バラスト、ステップバラスト、または、高／低バラストを制御するための全機能を６つ以上のピンまたは導体を有するインタフェースに設けることができる。別の実施形態において、６個未満のピンまたは導体、例えば４つのピンを有するインタフェースが機能の一部を与えることができるが、コストを低減して与えることができる。注目すべきは、４ピンインタフェースおよび６ピンインタフェースを後付けすることができ、あるいは互いに及び任意の制御モジュールと置き換え可能に使用することができる。例えば配線ジャックまたはプラグに関して他のオプションまたは形態も使用することができる。
【００８２】
第１のインタフェース１６３０は、ピン１６３１Ａ〜Ｄを含んでもよい。幾つかの実施形態では、第１のインタフェース１６３０が以下のピン割り当てを有してもよい。すなわち、例えば、ピン１６３１Ａが１２ボルト（Ｖ）などの電力出力を供給してもよく、ピン１６３１Ｂがリターンラインとなることができ、ピン１６３１Ｃが０〜１０ボルト（Ｖ）などの標準バラストを制御するための信号を受信しまたは供給してもよく、ピン１６３１Ｄが調光バラストを制御するための信号を受信しまたは供給してもよい。
【００８３】
第２のインタフェース１６４０はピン１６４１Ａ〜Ｄを含んでもよい。幾つかの実施形態では、第２のインタフェース１６４０が以下のピン割り当てを有してもよい。すなわち、例えば、ピン１６４１Ａが１２ボルト（Ｖ）などの電力出力を供給してもよく、ピン１６４１Ｂがリターンラインとなることができ、ピン１６４１Ｃ〜Ｄが０〜１０ボルト（Ｖ）などの標準バラスト、ステップバラスト、または、高／低バラストを制御するための信号を受信しあるいは供給してもよい。
【００８４】
第３のインタフェース１６５０はピン１６５１Ａ〜Ｄを含んでもよい。幾つかの実施形態では、第１のインタフェース１６５０が以下のピン割り当てを有してもよい。すなわち、例えば、ピン１６５１Ａが１２ボルト（Ｖ）などの電力出力を供給してもよく、ピン１６５１Ｂがリターンラインとなることができ、ピン１６５１Ｃ〜Ｄが調光バラストを制御するための調光信号を受信しまたは供給してもよい。
【００８５】
第４のインタフェース１６６０は、ピン１６４１Ａ〜Ｆを含んでもよい。幾つかの実施形態では、第４のインタフェース１６６０が以下のピン割り当てを有してもよい。すなわち、例えば、ピン１６６１Ａが１２ボルト（Ｖ）などの電力出力を供給してもよく、ピン１６６１Ｂがリターンラインとなることができ、ピン１６６１Ｃ〜Ｄが０〜１０ボルト（Ｖ）などの標準バラスト、ステップバラスト、または、高／低バラストを制御するための信号を受信しもしくは供給してもよく、あるいは、ピン１６６１Ｅ〜Ｆが調光バラストを制御するための調光信号を受信しもしくは供給してもよい。
【００８６】
図１７は、照明システムで使用される例示的なインタフェースケーブルを示している。照明システムでは、インタフェースケーブルを使用して、１つの制御モジュールを他の制御モジュールに中継しまたはデイジーチェーン接続することができ、あるいは制御モジュールを受信器に接続できる。図示のように、インタフェースケーブル１７６９は、該ケーブルの両側に設けられるプラグ１７３０Ａ〜Ｂを含んでもよい。プラグ１７３０Ａ〜Ｂは、前述したインタフェース１６３０、１６４０、１６５０、および１６６０からの信号または電力を伝えてもよい。インタフェースケーブル１７６９は、配線および／または難燃性ポリ塩化ビニル（ＦＲＰＶＣ）のジャケット絶縁体の両方から構成され得るＲＤ−１１ケーブルであってもよい。インタフェースケーブル１７６９は、照明システムの全ての低電圧配線において使用することができる。あるいは、ＣＭケーブルを使用できる。建物がＨＶＡＣエアフロー供給源またはリターンを伴う空間を有する場合がある実施形態では、通信多目的プレナム（ＣＭＰ）ケーブルが使用されてもよい。注目すべきは、インタフェースケーブル１７６９がＦＥＰの配線絶縁体とＦＲＰＶＣのジャケット絶縁体とから構成されてもよい。
【００８７】
図１８は、制御モジュールを備えてもよい他の例示的な回路を示している。図示のように、制御モジュール１８００は、電源１８０５、および１次電力供給ライン１８６２Ａ〜Ｂを含んでもよい（図２Ａ〜Ｂの説明を参照）。また、制御モジュール１８００は、第１および第２のリレ〜１８１０Ａ〜Ｂ、受信インタフェース１８３０、およびチェーンインタフェース１８６６を更に含んでもよい。
【００８８】
受信インタフェース１８３０がピン１８３０〜Ｆを含んでもよい。幾つかの実施形態では、ピン１８３０Ａが１２ボルト（Ｖ）などの電力出力を受信器に供給してもよく、ピン１８３０Ｂがリターンラインとなることができ、ピン１８３０Ｃ〜Ｄが０〜１０ボルト（Ｖ）などの標準バラスト、ステップバラスト、または、高／低バラストを制御するための信号を受信してもよく、また、ピン１８３０Ｅ〜Ｆが調光バラストを制御するための調光信号を受信してもよい。チェーンインタフェース１８６６は、受信インタフェース１８３０のピン１８３０Ａ〜Ｂをミラー処理しまたは並列処理してこれらの信号を他の制御モジュールに供給するために受信インタフェース１８３０のピン１８３０Ａ〜Ｂに接続され得るピン１８６６Ａ〜Ｆを含む。
【００８９】
第１および第２のリレー１８１０Ａ〜Ｂは、供給される信号を中継するために、受信インタフェース１８３０により設けられる１つまたは複数の入力ピンに接続されてもよい。それぞれのリレー１８１０Ａ〜Ｂは、図２Ａに関して説明したように実施されてもよい。また、リレー１８１０Ａ〜Ｂは、ドライリレー配線に加えてホットリレーコネクタとして実施することができる。
【００９０】
デイジーチェーンが行なわれる際には、任意の低電圧駆動回路１８８０を使用して、チェーンインタフェース１８３０のリターンラインにおける電流消費量を減少させてもよい。図示のように、ＭＯＳＦＥＴスイッチを使用することができる。ツェナーダイオードおよびレジスタを使用して、ＭＯＳＦＥＴを保護してもよい。無論、図２Ａに関して説明したように、他の半導体デバイスが使用されてもよい。図示の制御モジュール１８００は特定のアイソレータおよび能動素子または受動素子を含んでもよいが、実施形態に応じて様々な異なる素子を置き換え可能に使用することができる。また、制御モジュール１８００をデジタル回路として実施することができる。
【００９１】
図１９は、１つもしくは複数のセンサまたはスイッチと通信するために使用される受信器を示している。図示のように、受信器１９４５は、制御モジュールインタフェース１９００、通信インタフェース１９０５、およびアドレスインタフェース１９１０を含んでもよい。制御モジュールインタフェース１９００は、ジャックを備えてもよく、また、制御モジュールから電力を受けるための１つまたは複数の入力、および制御コマンドを制御モジュールに供給するための出力を有してもよい。制御モジュールインタフェース１９００がケーブルを介して制御モジュールの受信インタフェースに結合される（例えば図１７参照）と、様々な制御信号を制御モジュールに送ることができ、また、電力が受信器１９４５によって受けられてもよい。
【００９２】
幾つかの実施形態では、制御モジュールインタフェース１９００が６つ以上のピンまたは導体を有するときに、標準ＯＮ／ＯＦＦバラスト、調光バラスト、ステップバラスト、または、高／低バラストを制御するための全機能を与えることができる。図示の実施形態では、制御モジュールインタフェース１９００が例えば以下のピン割り当てを伴う４本のピンを有する。すなわち、ピン１９００Ａが例えば１２ボルト（Ｖ）の電力入力を受けてもよく、ピン１９００Ｂをリターンラインにすることができ、ピン１９００Ｃが０〜１０ボルト（Ｖ）などの標準バラストを制御するための信号を送ってもよく、また、ピン１９００Ｄが調光バラストを制御するための信号を受信しまたは供給してもよい。あるいは、制御モジュールインタフェース１９００が図１６に関して説明したインタフェースのいずれかであってもよい。
【００９３】
通信インタフェース１９０５は、無線インタフェース（例えば、無線）であってもよく、また、現場のスイッチまたはセンサに接続されてもよい送信器からメッセージを受けてもよい。また、受信器１９４５は、受信器１９４５により制御される照明器具を制御するためのメッセージを受信するために様々な送信器に対して受信器１９００を特定するためのアドレスを設定するべく、ディップスイッチなどのアドレスインタフェース１９１０を含んでもよい。ディップスイッチは、２５６個のアドレスを与えるための８個の位置を有する。アドレスインタフェース１９１０は、特定のゾーンおよびグループを制御する受信器１９４５を送信器に対して特定するように設定することができる。これにより、ゾーンまたはグループと関連付けられる１つまたは複数の光源から発せられる光をゾーンまたはグループと関連付けられる、センサまたはスイッチに基づいて制御することができ有利である。
【００９４】
図２０Ａは、任意のタイプのバラストのための制御信号を供給することができる受信器を示している。図示のように、受信器２０４５は、６つのピン２０００Ａ〜Ｆを有するジャックなどの制御モジュールインタフェース２０００を含むことができる。また、受信器は、通信インタフェース２００５と、電圧調整器２００７と、グループディップスイッチ２０１０と、ゾーンディップスイッチ２０１５と、マイクロコントローラまたはプロセッサ２０３０と、１つまたは複数のバスまたは配線によって接続され得るオペアンプ２０２０および２０２５とを含むこともできる。
【００９５】
グループディップスイッチ２０１０およびゾーンディップスイッチ２０１５は、例えば照明ゾーン内の器具をグループ化できる能力を与えることができる。例示的な実施形態において、グループディップスイッチ２０１０は２５６個のアドレスを割り当てることができる８個の位置を与えてもよく、また、ゾーンディップスイッチ２０１５は４個または８個の位置を与えてもよい。
【００９６】
制御モジュールインタフェース２０００は、制御モジュールへのインタフェースとして設けられてもよく、４ピンまたは６ピンの雄−雄ジャンパケーブルを受け入れることができるジャックであってもよい。図示のように、制御モジュールは以下のピン割り当てを有してもよい。すなわち、ピン２０００Ａが１２ボルト電力を制御モジュールから受けることができ、ピン２０００Ｂをリターンにすることができ、ピン２０００Ｃ〜Ｄが制御モジュールを介してＯＮ／ＯＦＦ制御信号をバラストへ供給することができ、また、ピン２０００Ｅ〜Ｆが制御モジュールを介して０〜１０ボルト調光アナログ電圧などの調光信号をバラストへ供給することができる。図示の形態では、２組のＯＮ／ＯＦＦ制御信号２０００Ｃ〜Ｄと同様に２組の調光信号２０００Ｅ〜Ｆが供給されてもよい。
【００９７】
受信器２０４５は、典型的に、様々なセンサおよびスイッチから通信インタフェース２００５を介して信号を受信する。幾つかの実施形態では、通信インタフェース２００５が、トランシーバ２００６および基準クリスタルを含んでもよい。トランシーバ２００６は、例えば照明器具によって発せられる光を制御するための制御信号を供給するために、無線エアウェーブによって通信する様々なセンサまたは送信器からコマンドを受信してもよい。これらの構成要素は、信号のインテグリティを保証するために送受信確認によって通信してもよい。幾つかの実施形態では、冗長レベルを与えるため、異なる送信器および受信器２０４５と関連付けられる無線部分が、経路損失および混信問題に起因するギャップを埋めるために信号を繰り返すためのリピータとして作用してもよい。
【００９８】
また、トランシーバ２００６が直接シーケンススペクトラム拡散装置であってもよい。これは、マルチパス問題を支援し、信号が拡散される際の狭帯域妨害信号に対する幾つかの妨害排除能力を与えることができる。トランシーバ２００６は、９１５ＭＨＺ帯域および直接シーケンススペクトラム拡散で動作してもよい。しかしながら、トランシーバ２００６は、異なる変調方式を使用してもよく、また、種々の周波数で動作してもよい。
【００９９】
通信インタフェース２００５がアンテナ２０６０を含んでもよい。例示的な実施形態において、トランシーバ２００６は、送信器からアンテナ２０６０を介して無線周波数（ＲＦ）信号などの信号を受信する。図示の実施形態において、アンテナ２０６０はプリントダイポールアンテナであってもよいが、ループアンテナ、通常モード螺旋アンテナ、Ｆアンテナ、パッチアンテナ、モノポールアンテナ、または、他のアンテナ形態を使用できる。また、不平衡アンテナを駆動させる際には、平衡不平衡（バランオプション）２０５５ＲＦ変成器を使用して、トランシーバ２００６の平衡出力を変換することができる。
【０１００】
マイクロコントローラまたはプロセッサ２０３０は、小さいバスを介してトランシーバ２００６を制御するために使用されてもよい。幾つかの実施形態では、マイクロコントローラ２０３０がＡＴＭＥＬマイクロコントローラであってもよいが、他のタイプのプロセッサまたはコントローラを使用することができる。マイクロコントローラ２０３０は、送信器またはスイッチから受信されるメッセージをデコードして、ディップスイッチ２０１０および２０１５を読み取り、ＯＮ／ＯＦＦリレー２０００Ｃ〜Ｄおよび調光信号２０００Ｅ〜Ｆを与える。
【０１０１】
マイクロコントローラ２０３０は、特定の受信器２０４５を識別するためにゾーン・グループディップスイッチ２０１０および２０１５からのクロックおよび入力を含んでもよい。また、マイクロコントローラ２０３０は、制御モジュールインタフェース２０００のピン２０００Ｃ〜Ｄに接続されてもよい２つのリレーコマンド２０４０Ａ〜Ｂのための出力を含むことができる。図示の実施形態では、マイクロコントローラ２０３０が０〜３．３ボルトなどの２つの信号２０３５Ａ〜Ｂも出力する。信号２０３５Ａ〜Ｂがオペアンプ２０２０および２０２５を介して例えば３倍だけ乗算され、それにより、制御モジュールのための０〜１０ボルトなどの調光信号を生成してもよい。乗算された信号は制御モジュールインタフェース２０００のピン２０００Ｅ〜Ｆに接続されてもよい。注目すべきは、１２ボルトなどの制御モジュールにより供給される電力は、オペアンプ２０２０および２０２５により直接に使用されて、トランシーバ２００６およびマクロコントロ〜ラ２０３０のために電圧調整器２００７を介して３．３ボルトに変換されてもよい。電圧調整器２００７が標準的な電圧調整器集積回路（ＩＣ）であってもよい。
【０１０２】
図２０Ｂは、受信器を備えてもよい例示的な回路を示している。回路図は、トランシーバ２００６を集積回路（ＩＣ）として示しているが、ディスクリートの構造が使用されてもよい。図示のように、３Ｘ回路２０１９を使用して、制御モジュールインタフェース２０００の調光ライン２０００Ｅ〜Ｆを駆動することができる。３Ｘ回路は、適切な形態のフィードバック抵抗を介して３つの任意のＤＣレベル電圧を掛け合わせるべくオペアンプ２０２０および２０２５を使用して実施することができる。単一のフィードバック抵抗が示されているが、他のフィードバック抵抗を制御モジュールインタフェース２０００の自由ピンに同様につなげることができる。
【０１０３】
更に示されるように、リレードライバインタフェース２００８を使用することもできる。幾つかの実施形態では、低電力ドライバオプションが制御モジュールで使用されていなければ、リレードライバインタフェース２００８が必要とされない場合がある。この場合、受信器２０４５のドライバ２００８をバイパスすることができる。
【０１０４】
図２１Ａおよび図２１Ｂは、１つまたは複数のセンサからの制御信号を送信できる送信器を示している。送信器２１００は、１つまたは複数のセンサと接続することができ、データに関してセンサを調べることができ、データを処理することができ、また、受信器と接続される照明器具により発せられる光のレベルを調整するために処理されたデータを受信器へ送信することができる。図示のように、送信器２１００は、モーションセンサや集光センサなどのセンサと接続するために２つのセンサインタフェース２１３５および２１４０を含むことができる。これらのインタフェースは、図１６〜１７に関して説明したことを含めて信号を送りまたは電力を供給するためにモーションセンサおよび／または集光センサへと延びるケーブルおよびプラグのためのジャックであってもよい。実施形態に応じて、異なる数のセンサインタフェースを使用することもできる。注目すべきは、単一のセンサがセンサインタフェース２１３５および２１４０に差し込まれるときに送信器２１００が動作してもよい。
【０１０５】
組み込み電源（図示せず）が使用されてもよく、その場合、ブラック配線またはホワイト配線であってもよい電力ライン２１２５Ａ〜Ｂによって８５〜２７７ＶＡＣなどの電力が供給されてもよい。制御モジュールに関して説明したように、電源（図２Ａ〜２Ｂ参照）はこの電力を２４ＶＤＣへ変換してもよい。送信器２１００の内側に設けられてもよい組み込み電源は、配線を減らすために使用することができる。あるいは、センサ製造メーカによって送信器２１００の外部に設けられてもよい非組み込み電源は、送信器２１００を現場のセンサから大きく隔てて配置できるようにするために使用できる。
【０１０６】
送信器２１００が通信インタフェース（図示せず）を含んでもよい。通信インタフェースは、小型のスタビアンテナなどのアンテナ２１１０を含むことができ、または、通常モード螺旋アンテナ、パッチアンテナ、ダイポールアンテナ、ループアンテナ、逆Ｆアンテナ、プリントアンテナ等として送信器２１００に組み込むことができる。図示のように、送信器２１００は、センサインタフェース２１３５に接続される集光センサのパラメータを設定しまたは制御できる２つのポテンショメータ２１４５Ａ〜Ｂおよびセットスイッチ２１１６などの光選択インタフェースを含む。また、送信器は、通信するための受信器のゾーンまたはグループを選択するためにディップスイッチなどのアドレスインタフェース２１２０Ａ〜Ｂを含んでもよい。送信器２１００は、例えばモーションや光移動状態を待つ必要なく送信器２１００と通信する受信器を試験するためのテスト送信を行なうために設けられてもよいテストスイッチまたはボタン２１１５を含んでもよい。これは、例えばゾーンディップスイッチおよびグループディップスイッチ２１２０Ａ〜Ｂをセットアップするのに有利となり得る。
【０１０７】
図２１Ａの実施形態において、送信器２１００は、標準的なジャンクションボックスのノックアウトプラグ穴に挿入され得るネジ付きネックまたはニップル２１３０を含むことができる。図２１Ｂに示されるように、多くの導管ボックスが狭い位置に装着される場合があるため、ジャンクションボックスに接続するために柔軟なネック２１６０のバージョンが使用されてもよい。例えば、ネック２１６０は、マイクロホンのグースネックに類似することができ、あるいは、プラスチック状の柔軟な導管となり得る。柔軟なネック２１６０がヒンジ構造であってもよい。図２１Ａ〜Ｂにおいて、８５〜２７７ＶＡＣなどのライン電圧は、ライン２１２５Ａ〜Ｂを通じて送信器２１００のネック２１３０または２１６０に入り、送信器２１００の内側に設けられる絶縁された電源に接続されてもよい。送信器は、トランシーバ、マイクロコントローラ、および、受信器に関して説明されて以下で更に詳しく説明される他の構成要素を含んでもよい。装着穴２１０５Ａ〜Ｂは、送信器２１００を壁または天井に装着できるようにする。
【０１０８】
図２２は、送信器およびセンサの例示的な配置を示している。図示のように、送信器２２００は、センサインタフェース２２３５および２２４０を介して光センサ２２７０に接続または配線することができる。光センサ２２７０はコネクタ２２７５（または、３ピンピグテール）を含んでもよい。コネクタ２２７５のピン２２７５Ａ〜Ｃによって伝えられる信号は、センサを給電するための２４ボルト、リターン、および、０〜１０ボルトアナログなどの光レベルに対応する信号を含むことができる。ハーネス２２７５は、コネクタ２２７５と接続してコネクタのピン２２７５Ａ〜ＣをそれがＲＪ−１１プラグなどの集光センサインタフェース２２３５に適合するように変換するために使用することができる。この場合、ハーネス２２７５は、送信器２２００の集光インタフェース２２３５に接続されてもよい。
【０１０９】
例示的な実施形態では、電源（図示せず）を送信器２１１０に組み込むことができる。これが成される際には、組み込み電源を使用して、外部配線やハーネスなどの配線を排除することができる。電源は、制御モジュールに関して説明した電源にほぼ類似してもよく、また、供給ライン２１２５Ａ〜Ｂによって供給される８５〜２７７ＶＡＣなどの電力を例えば２４ＶＤＣへ変換してもよい。
【０１１０】
送信器の配置が光センサを伴って示されているが、他のセンサも同様に使用できる。例えば、センサがモーションセンサである場合には、コネクタ２２７５の０〜１０ボルト信号を、モーションが検出されるときに対応する高電圧または低電圧と置き換えることができる。また、この場合、ハーネス２２７５を使用してモーションセンサインタフェース２２４０に接続してもよい。
【０１１１】
図２３は、送信器およびセンサの他の例示的な配置を示している。更に示されるように、送信器２３００およびセンサ２３７０のこの配置における動作および制御は、供給ライン２３９０Ａ〜Ｂから８５〜２７７ＶＡＣなどの電力を受けた後に、２４ＶＤＣなどの電力をセンサ２２７０および送信器２３００に供給するために使用されてもよい電源２３８０（非組み込み式）を含んでもよい。ハーネス２２７５が電源２３８０に接続されてもよい。外部電源２３８０は、例えば、制御モジュールに関して説明した電源にほぼ類似してもよく、あるいは、製造メーカによってセンサ２３７０が設けられる電源であってもよい。２４ボルトの単一の電源２３８０を使用して複数のセンサを給電することができる。複数の電源が使用される場合（例えば、２つ以上のセンサが使用されるとき）には、ハーネスがそれぞれの電源に接続されてもよい。
【０１１２】
非組み込み式の電源２３８０は、有利には、電源２３８０が送信器と一体でないため、送信器２３００およびセンサ２２７０を互いに離して、かつ電源２３８０から離してつなぐことができるようにする。したがって、センサ２２７０を最適に装着でき、また、無線受信に最も適した場所に関して送信器２３００を最適化することができる。幾つかの実施形態では、センサ２２７０および電源２３８０が共に適合され得る場合、電源２３８０は、センサ２２７０に応答してアクションを起こす、すなわち、負荷を切り換える、低電圧信号を他の遠隔的に配線された制御ユニットに供給するなどする制御インタフェースを有してもよい。電源２３８０とセンサ２２７０との間で延びる従来のケーブルはそれぞれの端部に３ピンコネクタを有する場合があるため、局部的な検出（無線ではない）しか行なうことができない。したがって、ＲＪ−１１ジャックを一端に有し、かつ２つの３ピンコネクタを有するＹ−ハーネス２２７７を使用して、センサ２２７０を無線にすることができる。したがって、電源２３８０は、センサ２２７０および送信器２３００の両方を給電するべくＹ接続されてもよい。また、センサ２２７０からの制御信号を送信器２３００へ向かうようにＹ接続することができる。この場合、送信器２３００は、コマンドを解釈して遠隔位置にある受信器へ無線送信することができる。これにより、送信器２３００をプラグ・アンド・プレイにすることができるともに、センサ２２７０または電源２３８０の構造を変更することなくセンサ２２７０と共に組み込むことができ有利である。
【０１１３】
図２４Ａ〜Ｂは、送信器を備えてもよい例示的な回路を示している。図示のように、送信器２４００は、トランシーバ２４０５と、アドレスインタフェース２１２０Ａ〜Ｂ（ディップスイッチ）と、アンテナ２４１２と、任意のバラン２４１０と、マイクロプロセッサ２４１５と、電圧調整器２４２０とを含んでもよい。また、送信器２４００は調光選択インタフェースを備えてもよく、調光選択インタフェースは、例えばマイクロコントローラ２４１５により集光センサへの入力として経路付けられてもよいセットスイッチ２１１６およびポテンショメータ２１４５Ａ〜Ｂを含んでもよい。これらの構成要素は、受信器の構成要素と同様に作用してもよく（図２０Ａ〜Ｂに関して前述した）、また、配線またはバスを介して接続されてもよい。例えば、トランシーバ２４０５は、小さいバスを介してマイクロコントローラ２４１５により制御されてもよい。マイクロコントローラは、送信器または受信器を送信にあたって識別するためのゾーンアドレスおよびグループアドレスを設定するディップッスイッチ２１２０Ａ〜Ｂからの入力を有してもよい。また、送信器２４００のこれらの構成要素および他の構成要素は、繰り返しの時間間隔での光読み取りなど、センサから入力を受信し、これらの入力信号を制御信号へと処理し、例えばトランシーバ２４０５、バラン２４１０、アンテナ２４１２を含む通信インタフェースを使用して制御信号を受信器へ送って照明器具を制御するように構成することができる。
【０１１４】
トランシーバ２４０５は、直接シーケンススペクトラム拡散９１５ＭＺ帯域集積回路（ＩＣ）であってもよい。しかしながら、他の周波数および他の変調方式、または、周波数ホッピングをトランシーバ２４０５によって使用できる。また、モーション信号および０〜１０ボルト入力信号は、モーションインタフェース２１４０および集光インタフェース２１３５からそれぞれもたらされてもよい。例えばインストーラによる集光調整制御のため、ゾーンおよびグループを設定するための２つのディップスイッチおよびＳＥＴスイッチ２１１６などのアドレス指定インタフェース２１２０Ａ〜Ｂが使用されてもよい。
【０１１５】
図２４Ａにおいては、８５〜２７７ＶＡＣなどの汎用電力ライン入力２４９０Ａ〜Ｂが電源２４３０によって分離されて２４ＶＤＣへと変換されてもよい。変換された電力を電源２４３０からセンサインタフェース２１３５および２１４０へ供給することができ、それにより、例えば３．３ボルト電圧調整器を介して、送信器やマイクロコントローラ等のためのオンボード電圧調整器２４２０およびセンサが給電される。図２４Ｂにおいては、動作および制御が図２４Ａに類似するが、外部電力が例えば２４ボルトの外部電源（図示せず）から供給されてもよい。この外部電源は、製造メーカによって提供されてもよいまたは制御モジュールに関して説明したものと同様であってもよいセンサに接続される電源であってもよい。また、外部電源の２４ボルト出力のダイオード（図２３参照）が利用される場合には、ダイオード２４３０Ａ〜Ｂを短絡と置き換えることができる。
【０１１６】
図２５は、送信器２５００を備えてもよい回路図を示している。回路図はトランシーバ２５００を集積回路（ＩＣ）として示しているが、ディスクリート構造が使用されてもよい。図示のように、照明器具を一連のゾーンおよびゾーン内のグループへと編成して更なる制御を行なうために、アドレスインタフェースを１組のディップスイッチ２１２０Ａ〜Ｂとして実施することができる。ポテンショメータ２１４５Ａ〜Ｂおよびセットスイッチ２２１６インタフェースからの選択は、センサインタフェース２１３５を介して入力信号として集光センサへ経路付けることができ、あるいは、コマンドを制御して照明器具により発せられる光のレベルを調整するために使用することができる。また、モーションセンサからのモーション入力信号をセンサインタフェース２１４０を介して受けてマイクロコントローラ２４１５へ送ることができる。この場合、マイクロコントローラ２４１５は、トランシーバ２４０５、バラン２４１０、および、アンテナ２４１２などの通信インタフェースを使用して制御コマンドを受信器へ送ってもよい。送信器２５００は、組み込み電源または非組み込み電源（図２Ｂ参照）および電圧調整器２００７を含んでもよい。
【０１１７】
図２６は、照明システムで使用されてもよい例示的なスイッチを示している。スイッチ２６００は、センサが入力を受信してそれを送信器を介して送信でき、かつ受信器が信号を拾って制御モジュールへと方向付けることによりバラストを調整できるシステムを拡張させるために使用することができる。例えば、スイッチ２６００は部屋のセンサを置き換えまたは拡張させることができ、それにより、光のユーザ無線マニュアル制御を行なうことができる。照明システムのユーザに対する機能性の観点から、スイッチは前述した送信器にほぼ類似することができる。これは、該スイッチがユーザ切り換え状態を送信できるからである。使用される送信器は、タッチスイッチ集積回路などの様々なスイッチからのメッセージをデコードし、ディップスイッチを読み取り、送信器が送信するためのメッセージを供給するマイクロコントローラを含む。
【０１１８】
図示のように、様々なスイッチ２６００、２６３０、および２６５０を使用することができる。スイッチ２６００、２６３０、および２６５０は、標準的な壁プレートボックスに嵌め込まれるようになっている標準的な壁プレート型装置であってもよく、また既存の照明用途へと取り換えしてもよく、または、新たな構造で使用されてもよい。また、スイッチは、受信器と通信するために遠隔制御装置に配置されてもよい。スイッチ２６００、２６３０、および２６５０は、コマンドを送信するための送信器（図示せず）、電源（組み込み式または非組み込み式）、およびタッチインタフェースなどの様々なインタフェースを含んでもよい。例えば、スイッチ２６００、２６３０、および２６５０は、受信器および送信器に関して前述したように、受信を保証して無線ネットワーク上の他の信号のための中継器としての機能を果たすために、完全なハンドシェーキングを与えるトランシーバを含んでもよい。
【０１１９】
スイッチ２６００、２６３０、および２６５０はスイッチの正面図を示している。図示のように、スイッチ２６００は、光レベルに関してＯＮ／ＯＦＦなどの様々な量の制御を行なうため、あるいは、複数の照明器具、ゾーン、または、グループを制御するため、様々なボタン２６０５Ａ〜Ｄを含むことができる。ＬＥＤを使用してバックライトを設けることもできる。スイッチ２６００、２６３０、および２６５０は、プッシュボタン、スナップドーム、膜など、機械的なものであってもよく、あるいは、容量性タッチスイッチであってもよい。更に示されるように、スイッチ２６３０は、制御をスライドするためのスライダインタフェース２６３５を含むことができ、また、スイッチ２６５０は、可変制御レベルオプションのためのロータリインタフェース２６５５を含んでもよい。スイッチ２６３０および２６５０は、ロータリまたはスライドポテンショメータを使用して機械的に実施されてもよく、あるいは、タッチスイッチ系のものであってもよい。幾つかの実施形態では、タッチスイッチが触覚フィードバックを与えない場合があるため、フィードバックを与えるために他のインタフェースが使用されてもよい。例えば、ＬＥＤバックライトを使用することができ、それにより、ＬＥＤが照明設定におけるある種の変化を示す。また、圧電型のスピーカポケベルまたはブザーなどの可聴音が使用されてもよい。
【０１２０】
スイッチ２６００、２６３０、および２６５０が壁面スイッチボックスと併せて使用される場合には、様々なタイプの給電用配線を使用できる。一実施形態では、機械的なスイッチが存在しない場合、壁面ボックス２６６０が２つの配線のみを含んでもよい。すなわち、一方の配線がホットリード線２６６１であり、もう一方の配線が負荷へと延びるリード線である−−ホワイト配線などの中立配線２６６３が存在しなくてもよい。２６６０の構成に示されるように、中立配線２６６３を伴うことなく電力を得るために、ブラックホットリード線２６６１およびグリーン配線などの壁面ボックス２６６０の接地２６６２から電力を得ることができる。これが成される場合には、使用される漏れ電流が約５００マイクロアンペアとなる場合がある。
【０１２１】
他の実施形態では、高電流のためのサポートがスイッチ２６００、２６３０、および２６５０によって必要とされる場合があると、バッテリなどの電力貯蔵装置（例えば充電可能）またはスーパーキャップが給電用のスイッチにより使用されてもよい。あるいは、壁面スイッチボックス２６７０が利用可能なホットリード線２６６１および中立配線２６６３を含む場合には、直接電力変換技術を使用することができるが、変圧器またはスイッチング電源が使用されてもよい。他の実施形態では、スイッチ２６００、２６３０、および２６５０を給電するために、クラス２の配線などの低電圧配線が壁面スイッチボックスへと延在されてもよい。
【０１２２】
図２７Ａ〜Ｃはスイッチ用の例示的なアセンブリを示している。図２７Ａに示されるように、例えばタッチスイッチのためのスイッチアセンブリ２７００は、フロントプレート２７０１を含んでもよい。フロントプレート２７０１は、プラスチックから形成することができ、装飾的でありうる。また、フロントプレート２７０１は、スイッチのプリント回路板上に配置されて照明システムの状態を示してもよいＬＥＤを覆うために略不透明なまたは透過性のプラスチック部分を含んでもよい。幾つかの実施形態において、フロントプレート２７０１は、下側に配置されてもよいＬＥＤ２７０５Ａ〜Ｄを収容できるように小さい突起または窪み２７０３Ａ〜Ｂを更に含んでもよい。図２７Ｂに描かれるように、スイッチアセンブリ２７００は、１つまたは複数の受信器と通信するためにプリントダイポールなどのアンテナ２７１０に結合されてもよい。また、スイッチアセンブリ２７００は、受信器へ送信され得る光設定を調整するために１つまたは複数のタッチパッドトラック２７１５Ａ〜Ｄを含んでもよい。
【０１２３】
図２７Ｃには、薄壁プラスチックボックス内に取り付けることができるスイッチアセンブリ２７００が示されている。スイッチアセンブリ２７００は、プリント回路板上にわたって配置されるフロントプレート２７０１、および、例えば壁ボックスに接続できる配線２７２０Ａ〜Ｎを含む。スイッチアセンブリ２７００は、プリント回路板サンドイッチを形成するメインボード２７４０および電源ボード２７４５を有してもよい。電源ボード２７４５は、連結部、および／または、バッテリまたはスーパーキャップから出る配線２７２０Ａ〜Ｎを有してもよい。電源ボード２７４５は、メインボード２７４０に接続するフレックスピンまたはジャンパピンを更に含むことができる。メインボード２７４０は、両面ボードであってもよく、電源ボード２７４５と対向する第１の側を有してもよい。メインボード２７４０のこの第１の側は、無線受信器、マイクロコントローラ、タッチスイッチなどのスイッチアセンブリ２７００の構成要素のうちの多くを含んでもよい。
【０１２４】
スイッチのユーザの方向に面してもよいメインボード２７４０の他方側には、他の構成要素が設けられてもよい。例えば、この側には、それがユーザに面するため、タッチスイッチパッド２７１５Ａ〜Ｄのためのトレース、プリント無線アンテナ２７１０、およびＬＥＤ２７０５Ａ〜Ｄが表面実装されまたは位置決めされるのが有利である。また、遮蔽を低減できるため、無線周波数（ＲＦ）信号を送信するべく、アンテナトレース２７１０がメインボード２７４０のこの側に存在してもよい。フロントカバー２７０１は、プリント回路基板に埋め込まれてもよいＬＥＤ２７０５Ａ〜Ｂ用の窪み２７０３Ａ〜Ｂを含んでもよい。タッチスイッチ２７１５Ａ〜Ｄが、ほぼ透光性のプラスチックであってもよい。例示的な実施形態において、使用されるプラスチックは、ＬＥＤ２７０５Ａ〜Ｂからの光の何らかの拡散を可能にするほぼ不透明なものであってもよい。
【０１２５】
図２８は、スイッチを備えてもよい例示的な回路を示している。図示のように、スイッチ２８００は、トランシーバ２８０５と、アンテナ２８１２と、バラン２８１０と、マイクロコントローラ２８１５と、電圧調整器２８２０とを含んでもよい。これらの構成要素は、受信器および送信器の構成要素と同様に作用してもよく（図２０Ａ〜Ｂおよび図２４Ａ〜Ｂにおいて前述した）、配線またはバスを介して接続されてもよい。トランシーバ２８０５は、小さいバスを介してマイクロコントローラ２８１５により制御されてもよい。壁ボックスからの配線により電源２８３０を様々な方法で給電できる。例えば、電力供給ライン２８３０Ａ〜Ｂは、ブラックおよびホワイトの電力ライン、漏れ電力を供給してもよいブラックラインおよび接地ライン、または、低電圧電力ラインであってもよい。一実施形態では、供給ライン２８３０Ａ〜Ｂがホット配線および中立配線に接続されてもよい場合、電圧降下素子としてキャパシタを使用できかつかなり少ない量の電力を消費する直接ライン変換電源２８３０が設けられてもよい。また、利用できる電力と、回路により消費される電力のデューティサイクルとに応じて、バッテリ２８８０が使用されてもよい（図２６参照）。
【０１２６】
使用されるスイッチインタフェース２８５０Ａ〜Ｂは、機械的なものまたはタッチスイッチであってもよい。幾つかの実施形態では、スイッチインタフェース２８５０Ａ〜Ｂがマイクロコントローラ２８１５に直接に接続されてもよい。あるいは、スイッチインタフェース２８５０Ａ〜Ｂは、小さいバスを介して延びる、例えばタッチスイッチのための別個の集積回路を通じてマイクロコントローラ２８１５に接続することができる。スイッチ２８００は、例えば光制御のための設定の変化を示すためのフィードバックをユーザに与えるために、ＬＥＤバックライト２８３５を含んでもよい。また、スイッチ２８００は、例えば容量性タッチスイッチのための触覚フィードバックを与えるために圧電型代替品２８４０を含んでもよい。
【０１２７】
また、スイッチ２８００のこれらの構成要素および他の構成要素は、ユーザから入力を受け、これらの入力を制御信号へと処理し、例えばトランシーバ２８０５、バラン２８１０、アンテナ２８１２などの通信インタフェースを使用して制御信号を受信器へ送って照明器具を制御するように構成することができる。トランシーバ２８０５が直接シーケンススペクトラム拡散９１５ＭＨＺ帯域集積回路（ＩＣ）であってもよい。しかしながら、他の周波数、変調方式、および、周波数ホッピングをトランシーバ２８０５によって使用することができる。
【０１２８】
当業者であれば明らかなように、本開示においては、該開示の思想または範囲から逸脱することなく様々な改良および変形を成すことができる。したがって、本開示は、添付の請求項およびそれらの等価物の範囲内の任意の改良および変形を網羅しようとするものである。
【図１Ａ】
2012526456.tif 000003
【図１Ｂ】
2012526456.tif 000004
【図２Ａ】
2012526456.tif 000005
【図２Ｂ】
2012526456.tif 000006
【図３Ａ】
2012526456.tif 000007
【図３Ｂ】
2012526456.tif 000008
【図４Ａ】
2012526456.tif 000009
【図４Ｂ】
2012526456.tif 000010
【図５Ａ】
2012526456.tif 000011
【図５Ｂ】
2012526456.tif 000012
【図５Ｃ】
2012526456.tif 000013
【図６Ａ】
2012526456.tif 000014
【図６Ｂ】
2012526456.tif 000015
【図７】
2012526456.tif 000016
【図８】
2012526456.tif 000017
【図１１】
2012526456.tif 000018
【図１２】
2012526456.tif 000019
【図１４】
2012526456.tif 000020
【図１５Ａ】
2012526456.tif 000021
【図１５Ｂ】
2012526456.tif 000022
【図１５Ｃ】
2012526456.tif 000023
【図１６】
2012526456.tif 000024
【図１７】
2012526456.tif 000025
【図１８】
2012526456.tif 000026
【図１９】
2012526456.tif 000027
【図２０Ａ】
2012526456.tif 000028
【図２０Ｂ】
2012526456.tif 000029
【図２１Ａ】
2012526456.tif 000030
【図２１Ｂ】
2012526456.tif 000031
【図２２】
2012526456.tif 000032
【図２３】
2012526456.tif 000033
【図２４Ａ】
2012526456.tif 000034
【図２４Ｂ】
2012526456.tif 000035
【図２６】
2012526456.tif 000036
【図２７Ａ】
2012526456.tif 000037
【図２７Ｂ】
2012526456.tif 000038
【図２７Ｃ】
2012526456.tif 000039
【図２８】
2012526456.tif 000040
【国際調査報告】
2012526456.tif 000041